(57)【要約】【課題】テレビ放送データ以外のデータを、一般デジタル放送を受信するテレビが受信可能な放送データにする。【解決手段】本発明の放送信号送出装置は、デジタル放送信号を受信するとともに、ネットワークまたは記録媒体からデータを取得する放送信号送出装置であって、取得したデータをトランスポートストリーム信号に変換する変換手段と、デジタル放送信号において放送が行われている放送帯域以外の帯域を検出する検出手段と、トランスポートストリーム信号を、デジタル放送信号の変調方式に基づいて検出された帯域に変調し、変調信号を生成する変調手段と、デジタル放送信号に変調信号を混合し、混合信号を生成する混合手段と、混合信号を外部へ送出する送出手段とを備えている。【選択図】図１
2010130074.tif 000002
【特許請求の範囲】
【請求項１】
デジタル放送信号を受信するとともに、ネットワークまたは記録媒体からデータを取得する放送信号送出装置であって、
上記取得したデータをトランスポートストリーム信号に変換する変換手段と、
上記デジタル放送信号において放送が行われている放送帯域以外の帯域を検出する検出手段と、
上記トランスポートストリーム信号を、上記デジタル放送信号の変調方式に基づいて上記検出された帯域に変調し、変調信号を生成する変調手段と、
上記デジタル放送信号に上記変調信号を混合し、混合信号を生成する混合手段と、
上記混合信号を外部へ送出する送出手段とを備えていることを特徴とする放送信号送出装置。
【請求項２】
上記検出手段は、
上記混合信号を受信するテレビの視聴者の居住地域に存在する上記デジタル放送信号において放送が行われている放送帯域以外の帯域を検出することを特徴とする請求項１に記載の放送信号送出装置。
【請求項３】
上記送出手段は、
上記デジタル放送信号が使用する帯域以外の帯域に変調した信号も受信可能なテレビに上記混合信号を送出し、
上記検出手段は、
上記デジタル放送信号が使用する帯域以外の帯域を、上記デジタル放送信号において放送が行われている放送帯域以外の帯域として検出することを特徴とする請求項１に記載の放送信号送出装置。
【請求項４】
上記混合信号を受信するテレビが、該混合信号を放送可能なデータとして認識するための放送データを作成する放送データ作成手段と、
上記トランスポートストリーム信号を上記放送データとともに多重化して上記変調手段に出力する多重化手段とさらに備えていることを特徴とする請求項１から３までのいずれか１項に記載の放送信号送出装置。
【請求項５】
上記多重化手段は、上記トランスポートストリーム信号および上記放送データ以外のデータもトランスポートストリーム信号に変換し、上記トランスポートストリーム信号および上記放送データとともに多重化することを特徴とする請求項４に記載の放送信号送出装置。
【請求項６】
上記放送データ作成手段、上記多重化手段、および上記変調手段のそれぞれが多重化されていることを特徴とする請求項４または５に記載の放送信号送出装置。
【請求項７】
上記デジタル放送信号において新たに放送が行われる帯域が、上記検出された放送帯域と重複したとき、上記新たに放送が行われる帯域における放送信号の電波を減衰する電波減衰手段をさらに備えていることを特徴とする請求項４から６までのいずれか１項に記載の放送信号送出装置。
【請求項８】
内部時計をさらに備え、
上記多重化手段は、
上記内部時計が表す時刻に基づいて作成したセクション情報と、上記トランスポートストリーム信号とを多重化することを特徴とする請求項４から７までのいずれか１項に記載の放送信号送出装置。
【請求項９】
上記デジタル放送信号からセクション情報を抽出する抽出手段と、
上記抽出されたセクション情報に含まれる時刻情報を上記内部時計に設定する設定手段とをさらに備えていることを特徴とする請求項８に記載の放送信号送出装置。
【請求項１０】
時刻情報の入力を受け付ける時刻入力手段と、
上記入力された時刻情報を上記内部時計に設定する設定手段とをさらに備えていることを特徴とする請求項８に記載の放送信号送出装置。
【請求項１１】
上記ネットワークを介して受信したデータから取得する時刻情報を上記内部時計に設定する設定手段をさらに備えていることを特徴とする請求項８に記載の放送信号送出装置。
【請求項１２】
上記ネットワークを介して受信したデータに対して放送スケジュールの入力を受け付けるスケジュール入力手段と、
上記入力された放送スケジュールに基づき電子番組表を作成する番組表作成手段と、
上記作成した電子番組表に基づきＥＩＴパケットを作成し上記多重化手段に出力するパケット作成手段とをさらに備えていることを特徴とする請求項４から１１までのいずれか１項に記載の放送信号送出装置。
【請求項１３】
上記ネットワークを介して電子番組表を取得する番組表取得手段と、
上記取得した電子番組表に基づきＥＩＴパケットを作成し上記多重化手段に出力するＥＩＴ作成手段とをさらに備えていることを特徴とする請求項４から１１までのいずれか１項に記載の放送信号送出装置。
【請求項１４】
上記ネットワークを介してロゴデータを取得するロゴデータ取得手段と、
上記取得したロゴデータに基づきＣＤＴパケットを作成し上記多重化手段に出力するＣＤＴ作成手段とをさらに備えていることを特徴とする請求項４から１１までのいずれか１項に記載の放送信号送出装置。
【請求項１５】
上記混合信号に、該混合信号を放送するための空きチャンネル番号を割り当てる割当手段をさらに備えていることを特徴とする請求項１から１４までのいずれか１項に記載の放送信号送出装置。
【請求項１６】
上記記録媒体から読み出したデータに基づき電子番組表を作成する番組表作成手段と、
上記作成した電子番組表に基づきＥＩＴパケットを作成し上記多重化手段に出力するパケット作成手段とをさらに備えていることを特徴とする請求項４から９までのいずれか１項に記載の放送信号送出装置。
【請求項１７】
上記ネットワークを介して受信したデータに基づき電子番組表を作成する番組表作成手段と、
上記ネットワークを介して受信したデータをＢＭＬに変換して上記変換手段に出力するＢＭＬ変換手段と、
上記作成した電子番組表に基づきＥＩＴパケットを作成し上記多重化手段に出力するパケット作成手段とをさらに備えていることを特徴とする請求項４から１１までのいずれか１項に記載の放送信号送出装置。
【請求項１８】
上記ネットワークを介して受信する家電センサデータを収集する収集手段と、
上記収集した家電センサデータに基づき、家電の設定を変更する変更手段と、
上記設定の情報をＢＭＬに変換して上記変換手段に出力するＢＭＬ変換手段と、
上記ネットワークを介して電子番組表を取得する番組表取得手段と、
上記取得した電子番組表に基づきＥＩＴパケットを作成し上記多重化手段に出力するパケット作成手段とをさらに備えていることを特徴とする請求項４から１１までのいずれか１項に記載の放送信号送出装置。
【請求項１９】
上記ＢＭＬを表示したＢＭＬブラウザが検出した視聴者の指示を、上記ネットワークを介して受信し、上記指示が示す処理を実行することを特徴とする請求項１７または１８までのいずれか１項に記載の放送信号送出装置。
【請求項２０】
上記ネットワークを介して受信した映像音声データを、該映像音声データがエンコードされた方式に基づいてデコードするデコード手段と、
上記デコードした映像音声データを上記混合信号を受信するテレビがデコード可能な形式のストリームデータにエンコードするエンコード手段とをさらに備え、
上記変換手段は、上記エンコードされたストリームデータをトランスポートストリーム信号に変換することを特徴とする請求項１から１１までのいずれか１項に記載の放送信号送出装置。
【請求項２１】
上記ネットワークを介して、上記ネットワークに接続し上記混合信号を受信するテレビの固有の鍵データを受信し、上記多重化手段に入力する鍵データ入力手段と、
上記多重化手段によって多重化されたトランスポートストリーム信号を、上記鍵データに基づいて暗号化する暗号化手段とをさらに備えていることを特徴とする請求項４から１１までのいずれか１項に記載の放送信号送出装置。
【請求項２２】
上記ネットワークに接続し上記混合信号を受信するテレビに挿入するＢＣＡＳカードの番号を登録する登録手段と、
上記多重化手段によって多重化されたトランスポートストリーム信号を、上記登録された番号に基づいて暗号化する暗号化手段とをさらに備えていることを特徴とする請求項４から１１までのいずれか１項に記載の放送信号送出装置。
【請求項２３】
デジタル放送信号を受信するとともに、ネットワークを介してデータを受信する放送信号送出装置であって、
上記受信したデータは、上記デジタル放送信号を受信するテレビの視聴者の家庭内ＬＡＮを介して受信する、または上記ネットワーク上のサーバから配信される、トランスポートストリーム信号であり、
上記デジタル放送信号において放送が行われている放送帯域以外の帯域を検出する検出手段と、
上記トランスポートストリーム信号を、上記デジタル放送信号の変調方式に基づいて上記検出された帯域に変調し、変調信号を生成する変調手段と、
上記デジタル放送信号に上記変調信号を混合し、混合信号を生成する混合手段と、
上記混合信号を外部へ送出する送出手段とを備えていることを特徴とする放送信号送出装置。
【請求項２４】
デジタル放送信号を受信するとともに、ネットワークまたは記録媒体からデータを取得する放送信号送出装置が実行する放送信号送出方法であって、
上記取得したデータをトランスポートストリーム信号に変換する変換ステップと、
上記デジタル放送信号において放送が行われている放送帯域以外の帯域を検出する検出ステップと、
上記トランスポートストリーム信号を、上記デジタル放送信号の変調方式に基づいて上記検出された帯域に変調し、変調信号を生成する変調ステップと、
上記デジタル放送信号に上記変調信号を混合し、混合信号を生成する混合ステップと、
上記混合信号を外部へ送出する送出ステップとを含むことを特徴とする放送信号送出方法。
【請求項２５】
請求項１から２３までのいずれか１項に記載の放送信号送出装置を動作させるプログラムであって、コンピュータを上記の各手段として機能させるためのプログラム。
【請求項２６】
請求項２５に記載のプログラムを記録しているコンピュータ読み取り可能な記録媒体。
【発明の詳細な説明】
【技術分野】
【０００１】
本発明は、デジタルテレビ放送の放送信号を変調し送出する放送信号送出装置、放送信号送出方法、プログラム、および記録媒体に関する。
【背景技術】
【０００２】
アナログ放送に対応するテレビが主流の時代には、テレビに所定の映像情報を出力する方法として、その地域で放送が行われていないチャンネルを選択し、その周波数の無線周波数信号（以下、ＲＦ信号と記載）を送信する方法が一般的であった。
【０００３】
この方法は、ＶＴＲやテレビゲームの画像をテレビに出力する際、テレビにビデオ入力端子が付いていない場合によく用いられていた。
【０００４】
地上波デジタル放送に対応するテレビは、通常、そのテレビが復号可能な符号化方式のデジタル信号しか映像化できない。たとえば、通常の地上波デジタル放送用のチューナーが搭載されたテレビには、地上波デジタル放送で採用されているＭＰＥＧ−２（Ｍｏｖｉｎｇ  Ｐｉｃｔｕｒｅ  Ｅｘｐｅｒｔｓ  Ｇｒｏｕｐ  ｐｈａｓｅ  ２）デコーダが設けられている。しかしながら、たとえばＩＰによる地上波デジタル放送の再配信データを映像化する際、ＨＤＴＶ（Ｈｉｇｈ  Ｄｅｆｉｎｉｔｉｏｎ  ＴｅｌｅＶｉｓｉｏｎ）の画質を得るには、Ｈ．２６４デコーダが必要となる。このため、ＭＰＥＧ−２方式のテレビごとに、Ｈ．２６４デコーダを搭載したＳＴＢ（Ｓｅｔ  Ｔｏｐ  Ｂｏｘ）をテレビごとに設けなければならなかった。
【０００５】
そこで、従来、テレビごとに上記のようなデコーダを設けなくても、デジタル信号で示される映像をテレビで視聴可能とすることが可能な情報中継装置等の技術が提案されている。このような技術は、たとえば、特許文献１に開示されている。
【０００６】
特許文献１の技術は、具体的には、まず、インターネットを介して受信したＨ．２６４方式によって符号化されたＴＳ（トランスポートストリーム）信号を、Ｈ．２６４／ＭＰＥＧ−２トランスコーダによって、テレビで復号可能なＭＰＥＧ−２方式のＴＳ信号に変換する。そして、そのＴＳ信号の放送が放送されているチャンネルまたは空きチャンネルの放送用信号に変調して、テレビに送信するという技術である。
【特許文献１】特開２００７−２５９０８７（２００７年１０月４日公開）
【発明の開示】
【発明が解決しようとする課題】
【０００７】
しかしながら、特許文献１の技術では、テレビ放送以外のデータを放送信号に変換し、放送可能な帯域に変調して送出できない。このため、テレビに映し出される映像は常に、元々テレビ放送用のコンテンツでしかない。つまり、テレビに表示するコンテンツの拡張性に欠けるという問題があった。
【０００８】
本発明は上記の課題を解決するためになされたものであり、その目的は、テレビ放送データ以外のデータを、テレビが確実に受信可能な放送データにする、放送信号送出装置、放送信号送出方法、プログラム、および記録媒体を提供することにある。
【課題を解決するための手段】
【０００９】
（放送信号送出装置）
本発明に係る放送信号送出装置は、上記の課題を解決するために、
デジタル放送信号を受信するとともに、ネットワークまたは記録媒体からデータを取得する放送信号送出装置であって、
上記取得したデータをトランスポートストリーム信号に変換する変換手段と、
上記デジタル放送信号において放送が行われている放送帯域以外の帯域を検出する検出手段と、
上記トランスポートストリーム信号を、上記デジタル放送信号の変調方式に基づいて上記検出された帯域に変調し、変調信号を生成する変調手段と、
上記デジタル放送信号に上記変調信号を混合し、混合信号を生成する混合手段と、
上記混合信号を外部へ送出する送出手段とを備えていることを特徴とする。
【００１０】
上記の構成によれば、本放送信号送出装置は、デジタル放送信号を受信するとともに、ネットワークまたは記録媒体からデータを取得する。ここでいうデジタル放送信号とは、たとえば、地上波デジタル放送の信号である。一方、ネットワークまたは記録媒体から取得するデータは、上記信号を受信するテレビの視聴者がテレビに表示させたい任意のデータであり、一般のデジタル放送信号とは異なる。つまり、通常のテレビではそのまま受信して映像化することができない形式のデータである。たとえば、上記ネットワーク上のサーバから配信されるストリーミングコンテンツや、ＰＣ上で実行可能な各種プレーヤで再生することのできる楽曲データなどである。
【００１１】
また、本放送信号送出装置は、上記取得したデータをトランスポートストリーム信号に変換する変換手段を備えている。これにより、一般放送とは異なる形式のデータを、トランスポートストリーム信号に変換することが可能である。
【００１２】
本放送信号送出装置は、さらに、上記デジタル放送信号において放送が行われている放送帯域以外の帯域（以下、空帯域と記載）を検出する検出手段と、上記トランスポートストリーム信号を、上記デジタル放送信号の変調方式に基づいて上記検出された帯域に変調し、変調信号を生成する変調手段とを備えている。これにより、上記デジタル放送信号の変調方式に基づいて、上記トランスポートストリーム信号を空帯域に変調して変調信号を生成することが可能である。
【００１３】
本放送信号送出装置は、さらに、上記デジタル放送信号に上記変調信号を混合し、混合信号を生成する混合手段と、上記混合信号を外部へ送出する送出手段とを備えている。
【００１４】
上記のように、本放送信号送出装置は、空帯域を検出し、一般放送信号以外のデータを一般放送信号の変調方式に基づいて変調できる形式、すなわち、トランスポートストリーム信号に変換し、当該変調方式に基づいて変調する。つづいて、変調した信号を、一般放送信号と混合して送出する。これにより、一般放送を受信するテレビは、視聴者が任意に取得した一般放送とは異なるデータも一般放送と区別なく受信することができる。したがって、テレビ放送以外の任意のコンテンツもテレビで視聴することを可能にする効果を奏する。
【００１５】
（検出手段）
また、本放送信号送出装置では、さらに、
上記検出手段は、
上記混合信号を受信するテレビの視聴者の居住地域に存在する上記デジタル放送信号において放送が行われている放送帯域以外の帯域を検出することが好ましい。
【００１６】
上記の構成によれば、本放送信号送出装置は、上記混合信号を受信するテレビの視聴者の居住地域に存在する上記デジタル放送信号において放送が行われている放送帯域以外の帯域を検出する。これにより、視聴者の居住地域に存在する空帯域を求め、上記トランスポートストリーム信号を、その空帯域に変調することが可能である。したがって、視聴者の居住地域によって異なる空帯域を有効に利用することが可能である。
【００１７】
（特殊なテレビへの対応）
また、本放送信号送出装置では、さらに、
上記送出手段は、
上記デジタル放送信号が使用する帯域以外の帯域に変調した信号も受信可能なテレビに上記混合信号を送出し、
上記検出手段は、
上記デジタル放送信号が使用する帯域以外の帯域を、上記デジタル放送信号において放送が行われている放送帯域以外の帯域として検出することが好ましい。
【００１８】
上記の構成によれば、本放送信号送出装置は、上記デジタル放送信号が使用する帯域以外の帯域に変調した信号も受信可能なテレビに上記混合信号を送出する。これにより、一般のデジタル放送の信号が使用する帯域以外の帯域に変調した信号も受信可能なテレビにおいても、上記混合信号の映像化が可能となる。
【００１９】
さらに、本放送信号送出装置は、上記デジタル放送信号が使用する帯域以外の帯域を、上記デジタル放送信号において放送が行われている放送帯域以外の帯域として検出する。これにより、一般のデジタル放送の信号が使用する帯域以外の帯域を空帯域として検出することが可能である。
【００２０】
（放送データ作成手段）
また、本放送信号送出装置では、さらに、
上記混合信号を受信するテレビが、該混合信号を放送可能なデータとして認識するための放送データを作成する放送データ作成手段と、
上記トランスポートストリーム信号を上記放送データとともに多重化して上記変調手段に出力する多重化手段とさらに備えていることが好ましい。
【００２１】
上記の構成によれば、本放送信号送出装置は、上記混合信号を受信するテレビが、該混合信号を放送可能なデータとして認識するための放送データを作成する放送データ作成手段と、上記トランスポートストリーム信号を上記放送データとともに多重化して上記変調手段に出力する多重化手段とを備えている。これにより、上記テレビに当該混合信号が放送可能であると認識させて映像化させることが可能である。
【００２２】
（多重化手段）
また、本放送信号送出装置では、さらに、
上記多重化手段は、上記トランスポートストリーム信号および上記放送データ以外のデータもトランスポートストリーム信号に変換し、上記トランスポートストリーム信号および上記放送データとともに多重化することが好ましい。
【００２３】
上記の構成によれば、本放送信号送出装置は、上記トランスポートストリーム信号および上記放送データ以外のデータもトランスポートストリーム信号に変換し、上記トランスポートストリーム信号および上記放送データとともに多重化する。これにより、放送データ以外のデータも上記混合信号に含めて送出することが可能である。
【００２４】
（各手段の多重化）
また、本放送信号送出装置では、さらに、
上記放送データ作成手段、上記多重化手段、および上記変調手段のそれぞれが多重化されていることが好ましい。
【００２５】
上記の構成によれば、本放送信号送出装置では、上記放送データ作成手段、上記多重化手段、および上記変調手段のそれぞれが多重化されている。これにより、一般デジタル放送以外の変調すべきデータが複数ある場合にも、それらを複数の帯域に変調して、一度に送出することが可能である。
【００２６】
（電波減衰手段）
また、本放送信号送出装置は、さらに、
上記デジタル放送信号において新たに放送が行われる帯域が、上記検出された放送帯域と重複したとき、上記新たに放送が行われる帯域における放送信号の電波を減衰する電波減衰手段をさらに備えていることが好ましい。
【００２７】
上記の構成によれば、本放送信号送出装置は、上記デジタル放送信号において新たに放送が行われる帯域が、上記検出された放送帯域と重複したとき、上記新たに放送が行われる帯域における放送信号の電波を減衰する電波減衰手段をさらに備えている。これにより、上記混合信号の放送帯域と、一般のデジタル放送信号において新たに放送が行われる放送帯域が重複してしまったときに、新たな放送の信号電波を減衰させることが可能である。したがって、上記混合信号と新たな放送信号との混信を回避することが可能である。
【００２８】
（内部時計）
また、本放送信号送出装置は、さらに、
内部時計をさらに備え、
上記多重化手段は、
上記内部時計が表す時刻に基づいて作成したセクション情報と、上記トランスポートストリーム信号とを多重化することが好ましい。
【００２９】
上記の構成によれば、本放送信号送出装置は、内部時計をさらに備えている。これにより、内部時計が示す時刻情報を用いてさまざまな管理を行うことが可能である。
【００３０】
また、本放送信号送出装置は、上記内部時計が表す時刻に基づいて作成したセクション情報と、上記トランスポートストリーム信号とを多重化する。これにより、上記混合信号に時刻の情報も含まれる。したがって、本放送信号送出装置は、上記混合信号を受信するテレビに時刻を通知することが可能である。
【００３１】
（セクション情報に含まれる時刻情報）
また、本放送信号送出装置は、
上記デジタル放送信号からセクション情報を抽出する抽出手段と、
上記抽出されたセクション情報に含まれる時刻情報を上記内部時計に設定する設定手段とをさらに備えていることが好ましい。
【００３２】
上記の構成によれば、本放送信号送出装置は、上記デジタル放送信号からセクション情報を抽出する抽出手段と、上記抽出されたセクション情報に含まれる時刻情報を上記内部時計に設定する設定手段とをさらに備えている。これにより、本放送信号送出装置は、一般のデジタル放送信号のセクション情報に含まれる時刻を内部時計に設定することが可能である。
【００３３】
（視聴者が指定する時刻情報）
また、本放送信号送出装置は、
時刻情報の入力を受け付ける時刻入力手段と、
上記入力された時刻情報を上記内部時計に設定する設定手段とをさらに備えていることが好ましい。
【００３４】
上記の構成によれば、本放送信号送出装置は、上記視聴者が指定する時刻情報の入力を受け付ける時刻入力手段と、上記入力された時刻情報を上記内部時計に設定する設定手段とをさらに備えている。これにより、本放送信号送出装置は、視聴者が指定する任意の時刻を内部時計に設定することが可能である。
【００３５】
（ネットワークから取得する時刻情報）
また、本放送信号送出装置は、
上記ネットワークを介して受信したデータから取得する時刻情報を上記内部時計に設定する設定手段をさらに備えていることが好ましい。
【００３６】
上記の構成によれば、本放送信号送出装置は、上記ネットワークを介して受信したデータから取得する時刻情報を上記内部時計に設定する設定手段をさらに備えている。これにより、本放送信号送出装置は、ネットワークのプロトコルなどが示す時刻を内部時計に設定することが可能である。
【００３７】
（放送スケジュール）
また、本放送信号送出装置は、
上記ネットワークを介して受信したデータに対して放送スケジュールの入力を受け付けるスケジュール入力手段と、
上記入力された放送スケジュールに基づき電子番組表を作成する番組表作成手段と、
上記作成した電子番組表に基づきＥＩＴパケットを作成し上記多重化手段に出力するパケット作成手段とをさらに備えていることが好ましい。
【００３８】
上記の構成によれば、本放送信号送出装置は、上記ネットワークを介して受信したデータに対して上記視聴者が指定する放送スケジュールの入力を受け付けるスケジュール入力手段を備えている。これにより、視聴者の任意の放送スケジュールを受け付けることが可能である。
【００３９】
また、本放送信号送出装置は、上記入力された放送スケジュールに基づき電子番組表を作成する番組表作成手段を備えている。これにより、視聴者が指定した任意の放送スケジュールに基づいて番組作成表を作成することが可能である。
【００４０】
本放送信号送出装置は、さらに、上記作成した電子番組表に基づきＥＩＴパケットを作成し上記多重化手段に出力するパケット作成手段を備えている。これにより、上記混合信号に上記の電子番組表の情報を含めることが可能である。したがって、上記混合信号を受信するテレビにおいて当該電子番組表に基づいた放送が可能となる。
【００４１】
（ネットワークから取得する電子番組表）
また、本放送信号送出装置は、
上記ネットワークを介して電子番組表を取得する番組表取得手段と、
上記取得した電子番組表に基づきＥＩＴパケットを作成し上記多重化手段に出力するＥＩＴ作成手段とをさらに備えていることが好ましい。
【００４２】
上記の構成によれば、本放送信号送出装置は、上記ネットワークを介して電子番組表を取得する番組表取得手段と、上記取得した電子番組表に基づきＥＩＴパケットを作成し上記多重化手段に出力するＥＩＴ作成手段とをさらに備えている。これにより、上記混合信号に上記ネットワークから取得した電子番組表の情報を含めることが可能である。したがって、上記混合信号を受信するテレビにおいて当該電子番組表に基づいた放送が可能となる。
【００４３】
（ロゴデータ）
また、本放送信号送出装置は、
上記ネットワークを介してロゴデータを取得するロゴデータ取得手段と、
上記取得したロゴデータに基づきＣＤＴパケットを作成し上記多重化手段に出力するＣＤＴ作成手段とをさらに備えているが好ましい。
【００４４】
上記の構成によれば、本放送信号送出装置は、上記ネットワークを介してロゴデータを取得するロゴデータ取得手段と、上記取得したロゴデータに基づきＣＤＴパケットを作成し上記多重化手段に出力するＣＤＴ作成手段とをさらに備えている。これにより、これにより、上記混合信号に上記ネットワークから取得したロゴデータを含めることが可能である。したがって、上記混合信号を受信するテレビにおいてロゴデータの表示が可能となる。
【００４５】
（チャンネルの割当手段）
また、本放送信号送出装置は、
上記混合信号に、該混合信号を放送するための空きチャンネル番号を割り当てる割当手段をさらに備えていることが好ましい。
【００４６】
上記の構成によれば、本放送信号送出装置は、上記混合信号に、該混合信号を放送するための空きチャンネル番号を割り当てる割当手段をさらに備えている。これにより、上記混合信号を受信するテレビに、当該混合信号の放送を行うチャンネルを通知することが可能である。
【００４７】
（記録媒体から取得する電子番組表）
また、本放送信号送出装置は、
上記記録媒体から読み出したデータに基づき電子番組表を作成する番組表作成手段と、
上記作成した電子番組表に基づきＥＩＴパケットを作成し上記多重化手段に出力するパケット作成手段とをさらに備えていることが好ましい。これにより、上記混合信号に上記記録媒体から取得した電子番組表の情報を含めることが可能である。したがって、上記混合信号を受信するテレビにおいて当該電子番組表に基づいた放送が可能となる。
【００４８】
（ＢＭＬ変換手段）
また、本放送信号送出装置は、
上記ネットワークを介して受信したデータに基づき電子番組表を作成する番組表作成手段と、
上記ネットワークを介して受信したデータをＢＭＬに変換して上記変換手段に出力するＢＭＬ変換手段と、
上記作成した電子番組表に基づきＥＩＴパケットを作成し上記多重化手段に出力するパケット作成手段とをさらに備えていることが好ましい。
【００４９】
上記の構成によれば、本放送信号送出装置は、上記ネットワークを介して受信したデータに基づき電子番組表を作成する番組表作成手段を備えている。これにより、たとえば、受信したデータの放送時間などの情報に基づき番組表を作成することが可能である。
【００５０】
また、本放送信号送出装置は、上記ネットワークを介して受信したデータをＢＭＬに変換して上記変換手段に出力するＢＭＬ変換手段を備えている。これにより、たとえば、ＷＥＢ上のコンテンツをＢＭＬブラウザで表示できるフォーマットに変換することが可能である。
【００５１】
本放送信号送出装置は、さらに、上記作成した電子番組表に基づきＥＩＴパケットを作成し上記多重化手段に出力するパケット作成手段を備えている。これにより、上記のＢＭＬ変換したコンテンツデータを上記混合信号に含めることが可能である。したがって、当該混合信号を受信するテレビにおいて、ＢＭＬブラウザにＷＥＢ上のコンテンツなどを表示することが可能である。
【００５２】
（家電設定）
また、本放送信号送出装置は、
上記ネットワークを介して受信する家電センサデータを収集する収集手段と、
上記収集した家電センサデータに基づき、家電の設定を変更する変更手段と、
上記設定の情報をＢＭＬに変換して上記変換手段に出力するＢＭＬ変換手段と、
上記ネットワークを介して電子番組表を取得する番組表取得手段と、
上記取得した電子番組表に基づきＥＩＴパケットを作成し上記多重化手段に出力するパケット作成手段とをさらに備えていることが好ましい。
【００５３】
上記の構成によれば、本放送信号送出装置は、上記ネットワークを介して受信する家電センサデータを収集する収集手段を備えている。これにより、たとえば家庭内ＬＡＮに接続されている各家電センサのデータを収集することが可能である。また、収集した家電センサデータに基づき、家電の設定を変更する変更手段を備えている。これにより、収集したデータに基づいた各家電の管理が可能である。さらに、上記設定の情報をＢＭＬに変換して上記変換手段に出力するＢＭＬ変換手段を備えている。これにより、上記混合信号を受信するテレビのＢＭＬブラウザに各種設定情報を表示することができる。
【００５４】
また、本放送信号送出装置は、さらに、上記ネットワークを介して電子番組表を取得する番組表取得手段と、上記取得した電子番組表に基づきＥＩＴパケットを作成し上記多重化手段に出力するパケット作成手段とを備えている。これにより、既存の電子番組表をネットワークから取得し、取得した電子番組表に基づきＥＩＴパケットを作成することが可能である。したがって、既存の電子番組表に上記家電情報を表示させたり、変更情報を表示させたりすることが可能となる。
【００５５】
（視聴者の指示）
また、本放送信号送出装置は、さらに、
上記ＢＭＬを表示したＢＭＬブラウザが検出した視聴者の指示を、上記ネットワークを介して受信し、上記指示が示す処理を実行することが好ましい。
【００５６】
上記の構成によれば、本放送信号送出装置は、上記ＢＭＬを表示したＢＭＬブラウザが検出した視聴者の指示を、上記ネットワークを介して受信し、上記指示が示す処理を実行する。これにより、たとえば、上述した各種家電の設定値を、視聴者が指定する任意の値に変更することが可能である。
【００５７】
（映像音声データのデコードとエンコード）
また、本放送信号送出装置は、
上記ネットワークを介して受信した映像音声データを、該映像音声データがエンコードされた方式に基づいてデコードするデコード手段と、
上記デコードした映像音声データを上記混合信号を受信するテレビがデコード可能な形式のストリームデータにエンコードするエンコード手段とをさらに備え、
上記変換手段は、上記エンコードされたストリームデータをトランスポートストリーム信号に変換することが好ましい。
【００５８】
上記の構成によれば、本放送信号送出装置は、上記ネットワークを介して受信した映像音声データを、該映像音声データがエンコードされた方式に基づいてデコードするデコード手段を備えている。これにより、たとえば、通常のテレビでデコードできないフォーマットでエンコードされた映像データを上記混合信号に含めて送出する前に、予めデコードしておくことが可能である。
【００５９】
また、本放送信号送出装置は、上記デコードした映像音声データを上記混合信号を受信するテレビがデコード可能な形式のストリームデータにエンコードするエンコード手段を備えている。そして、上記変換手段は、上記エンコードされたストリームデータをトランスポートストリーム信号に変換する。これにより、上記混合信号に含められた上記映像音声データは、通常のテレビにおいてデコード可能となる。したがって、本放送信号送出装置は、通常のテレビにおいてデコードできない映像音声データも、デコードできる形式でエンコードして送出することが可能である。
【００６０】
（鍵による認証）
また、本放送信号送出装置は、
上記ネットワークを介して、上記ネットワークに接続し上記混合信号を受信するテレビの固有の鍵データを受信し、上記多重化手段に入力する鍵データ入力手段と、
上記多重化手段によって多重化されたトランスポートストリーム信号を、上記鍵データに基づいて暗号化する暗号化手段とをさらに備えていることが好ましい。
【００６１】
上記の構成によれば、本放送信号送出装置は、上記ネットワークを介して、上記ネットワークに接続し上記混合信号を受信するテレビの固有の鍵データを受信し、上記多重化手段に入力する鍵データ入力手段を備えている。これにより、当該鍵データを上記混合信号に含めることができる。
【００６２】
本放送信号送出装置は、さらに、上記多重化手段によって多重化されたトランスポートストリーム信号を、上記鍵データに基づいて暗号化する暗号化手段を備えている。これにより、当該鍵データを保持するテレビのみ上記トランスポートストリーム信号を復号化させる、つまり認証することができる。したがって、上記トランスポートストリーム信号のコンテンツを視聴可能なテレビを限定させることが可能である。
【００６３】
（ＢＣＡＳカードによる認証）
また、本放送信号送出装置は、
上記ネットワークに接続し上記混合信号を受信するテレビに挿入するＢＣＡＳカードの番号を登録する登録手段と、
上記多重化手段によって多重化されたトランスポートストリーム信号を、上記登録された番号に基づいて暗号化する暗号化手段とをさらに備えていることが好ましい。
【００６４】
上記の構成によれば、本放送信号送出装置は、上記ネットワークに接続し上記混合信号を受信するテレビに挿入するＢＣＡＳカードの番号を登録する登録手段と、上記多重化手段によって多重化されたトランスポートストリーム信号を、上記登録された番号に基づいて暗号化する暗号化手段とをさらに備えている。これにより、上記混合信号を受信するテレビのＢＣＡＳカードの番号を使用して上記トランスポートストリーム信号を暗号化することが可能である。つまり、上記番号のＢＣＡＳカードが挿入されているテレビのみ上記トランスポートストリーム信号を認証することができる。したがって、上記トランスポートストリーム信号のコンテンツを視聴可能なテレビを限定させることが可能である。
【００６５】
（家庭内ＬＡＮおよびインターネット上のコンテンツの変換）
本発明に係る放送信号送出装置は、上記の課題を解決するために、
デジタル放送信号を受信するとともに、ネットワークを介してデータを受信する放送信号送出装置であって、
上記受信したデータは、上記デジタル放送信号を受信するテレビの視聴者の家庭内ＬＡＮを介して受信する、または上記ネットワーク上のサーバから配信される、トランスポートストリーム信号であり、
上記デジタル放送信号において放送が行われている放送帯域以外の帯域を検出する検出手段と、
上記トランスポートストリーム信号を、上記デジタル放送信号の変調方式に基づいて上記検出された帯域に変調し、変調信号を生成する変調手段と、
上記デジタル放送信号に上記変調信号を混合し、混合信号を生成する混合手段と、
上記混合信号を外部へ送出する送出手段とを備えていることを特徴とする。
【００６６】
上記の構成によれば、本放送信号送出装置は、デジタル放送信号を受信するとともに、ネットワークを介してデータを受信する。そして、上記受信したデータは、上記デジタル放送信号を受信するテレビの視聴者の家庭内ＬＡＮを介して受信する、または上記ネットワーク上のサーバから配信される、トランスポートストリーム信号である。ここでいうデジタル放送信号は既に上述したとおりである。
【００６７】
上記の構成によれば、本放送信号送出装置は、上記取得するデータが既にトランスポートストリーム信号であり、トランスポートストリームに変換する必要がないことを除いて、上述した放送信号送出装置と同様の作用、効果を奏する。
【００６８】
（放送信号送出方法）
また、本発明に係る放送信号送出方法は、上記の課題を解決するために、
デジタル放送信号を受信するとともに、ネットワークまたは記録媒体からデータを取得する放送信号送出装置が実行する放送信号送出方法であって、
上記取得したデータをトランスポートストリーム信号に変換する変換ステップと、
上記デジタル放送信号において放送が行われている放送帯域以外の帯域を検出する検出ステップと、
上記トランスポートストリーム信号を、上記デジタル放送信号の変調方式に基づいて上記検出された帯域に変調し、変調信号を生成する変調ステップと、
上記デジタル放送信号に上記変調信号を混合し、混合信号を生成する混合ステップと、
上記混合信号を外部へ送出する送出ステップとを含むことを特徴とする。
【００６９】
上記の構成によれば、上述した放送信号送出装置と同様の作用、効果を奏する。
【００７０】
（プログラムおよび記録媒体）
なお、本発明に係る放送信号送出装置は、コンピュータによって実現してもよい。この場合、コンピュータを上記各手段として動作させることにより放送信号送出装置をコンピュータにおいて実現するプログラム、およびそのプログラムを記録したコンピュータ読み取り可能な記録媒体も、本発明の範疇に入る。
【発明の効果】
【００７１】
以上のように、本放送信号送出装置は、空帯域を検出し、一般放送信号以外のデータを一般放送信号の変調方式に基づいて変調できる形式、すなわち、トランスポートストリーム信号に変換し、当該変調方式に基づいて変調する。そして変調した信号を、一般放送信号と混合して送出する。したがって、一般放送を受信するテレビは、視聴者が任意に取得した一般放送とは異なるデータも一般放送と区別なく受信することができる。したがって、テレビ放送以外の任意のコンテンツもテレビで視聴することを可能にする効果を奏する。
【発明を実施するための最良の形態】
【００７２】
〔実施形態１〕
本発明に係る放送信号送出装置の第１の実施形態について、図１を参照して以下に説明する。図１は、本実施形態に係る放送信号送出装置１０１の構成を示すブロック図である。
【００７３】
（放送信号送出装置１０１の構成）
放送信号送出装置１０１の構成について説明する。図１に示すように、本発明に係る放送信号送出装置１０１は、受信アンテナ１、デジタル放送チューナー２、パケットＤｅｍｕｘｅｒ３、セクション情報抽出部４、受信状況テーブル５、空帯域検出部６、検出帯域設定部７、通信部８、コンテンツＴＳ作成部９、放送データ作成部１０、ＭＰＥＧ２ＴＳ多重化部１１、ＴＳ変調部１２、およびＲＦ信号混合部１３を含む。ＲＦはＲａｄｉｏ  Ｆｒｅｑｕｅｎｃｙ（無線周波数）の略である。各部の詳細な処理については後述する。
【００７４】
（各国デジタル放送規格）
なお、後述する本発明に係る実施形態の適用は日本の地上デジタル放送の規格であるＩＳＤＢ−Ｔに限らない。デジタル放送の規格は各国によって異なる。本発明に係る実施形態は、ＤＶＢ−ＴやＡＴＳＣなどの規格を用いた場合にも適用可能である。
【００７５】
（変調方式）
変調部１２において用いる変調方式はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）である。しかしながら変調方式はこれに限るものではない。放送方式に基づいて様々な変調方式を利用することが可能である。
【００７６】
（デジタル放送における一般的なデータ形式）
ここで、デジタル放送において用いられる一般的な各種データ形式について補足する。
【００７７】
多くのデジタル放送では、ＩＳＯ／ＩＥＣ  １３８１８−１およびＩＴＵ−Ｔ勧告Ｈ．２２２．０において標準化されている、ＭＰＥＧ−２の多重化伝送方式としてＭＰＥＧ−２  ＴＳが採用されている。ＴＳ伝送では、トランスポートパケット（Ｔｒａｎｓｐｏｒｔ  ＰａｃｋｅｔまたはＴＳ  Ｐａｃｋｅｔ）と呼ばれる１８８バイト固定長のパケットで各種データの伝送を行う。各トランスポートパケットが何のデータを伝送しているものか示す情報として、各ＴＳパケットにはパケット識別子（ＰＩＤ）と呼ばれる１３ビットの情報が含まれる。
【００７８】
ＴＳは複数のプログラム（番組）を取り扱うことが可能である。ＴＳにどのようなプログラムが存在し、ＴＳに含まれる各ＥＳ（Ｅｌｅｍｅｎｔａｒｙ  Ｓｔｒｅａｍ）（動画／音声／データ）がどのプログラムに属しているかを記した情報をＰＳＩ（Ｐｒｏｇｒａｍ  Ｓｐｅｃｉｆｉｃ  Ｉｎｆｏｒｍａｔｉｏｎ）といい、動画や音声とは別のＰＩＤを持つＴＳパケットとして、ＴＳに挿入される。以下、ＰＳＩの一例を記載する。
【００７９】
ＰＡＴ（Ｐｒｏｇｒａｍ  Ａｓｓｏｃｉａｔｉｏｎ  Ｔａｂｌｅ）
あるＴＳ内に含まれるプログラム一覧を、ＰＭＴ（下記参照）のＰＩＤ一覧を含むテーブル形式データである。
【００８０】
ＰＭＴ（Ｐｒｏｇｒａｍ  Ｍａｐ  Ｔａｂｌｅ）
あるプログラムに含まれる画像や音声などの各ＰＩＤを含むテーブル形式データである。ＰＭＴから画像や音声などのＰＩＤを得ることが出来れば、それらＰＩＤのついたＴＳパケットを抽出することでプログラムを再生できる。
【００８１】
ＣＡＴ（Ｃｏｎｄｉｔｉｏｎａｌ  Ａｃｃｅｓｓ  Ｔａｂｌｅ）
限定受信をサポートする情報を含むテーブル形式データである。ＭＰＥＧ−２  Ｓｙｓｔｅｍ規格ではＰＳＩのみが記述されているが、ＭＰＥＧ−２  ＴＳを採用する多くのデジタル放送規格では、ＰＳＩを拡張して番組情報などを含めたＳＩ（Ｓｅｒｖｉｃｅ  Ｉｎｆｏｒｍａｔｉｏｎ）が規定されている。ＳＩはＰＳＩの一部であると見なして、ＰＳＩ／ＳＩ情報としてまとめて扱う場合が多い。以下、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人  電波産業会）が規定するＳＩの一例を記載する。
【００８２】
ＮＩＴ（Ｎｅｔｗｏｒｋ  Ｉｎｆｏｒｍａｔｉｏｎ  Ｔａｂｌｅ）
チャンネル番号や変調方式、ガードインターバルなど、送信するネットワークに関する情報を格納したテーブル形式データである。
【００８３】
ＢＩＴ（Ｂｒｏａｄｃａｓｔｅｒ  Ｉｎｆｏｒｍａｔｉｏｎ  Ｔａｂｌｅ）
放送局識別情報（ＢＳＤ）や系列情報（地上Ｄ）、各ＳＩテーブルの再送周期、ＳＩの掲載期間、ロゴ情報の伝送方法など、放送局のＳＩ送信情報を含むテーブル形式データである。
【００８４】
ＳＤＴ（Ｓｅｒｖｉｃｅ  Ｄｅｓｃｒｉｐｔｉｏｎ  Ｔａｂｌｅ）
チャンネルの名称が含まれるテーブル形式データである。また、各チャンネル（サービス）で送出されるＥＩＴ（Ｅｖｅｎｔ  Ｉｎｆｏｒｍａｔｉｏｎ  Ｔａｂｌｅ）の種類、デジタルコピー制御情報も含まれる。
【００８５】
その他のＰＳＩ／ＳＩ
ＰＳＩ／ＳＩとしてＥＩＴ（Ｅｖｅｎｔ  Ｉｎｆｏｒｍａｔｉｏｎ  Ｔａｂｌｅ）およびＴＯＴ（Ｔｉｍｅ  Ｏｆｆｓｅｔ  Ｔａｂｌｅ）等が存在する。
【００８６】
（放送信号送出装置１０１の処理）
放送信号送出装置１０１の処理について図１を参照して説明する。
【００８７】
まず、デジタル放送チューナー２でチャンネルを選局すると、デジタル放送チューナー２は、受信アンテナ１を介してデジタル放送データ信号を受信する。
【００８８】
デジタル放送チューナー２は、受信したデジタル放送データをＴＳ信号（トランスポートストリーム、以下ＴＳと記載）に変換し、パケットＤｅｍｕｘｅｒ３に出力する。
【００８９】
パケットＤｅｍｕｘｅｒ３は、入力されたＴＳに含まれる多重化された様々なパケット情報を分離し、セクション情報抽出部４に出力する。
【００９０】
セクション情報抽出部４は、まず、分離したＴＳパケット情報からセクション情報を抽出し、放送の受信状態を確認する。ここでいうセクション情報とは、ＰＳＩ／ＳＩである。つづいて、その受信状態を、受信状況テーブル５に格納する。
【００９１】
ここで、受信状況テーブル５の概要について、図２を参照して説明する。図２は、受信状況テーブル５の一例を示す図である。図２に示すように、上記受信状態を格納する受信状況テーブル５の横軸５０に示すように、左端からチャンネル、受信レベル、放送局名、周波数（ＭＨｚ）、ｎｅｔｗｏｒｋ＿ｉｄ、ｏｒｉｇｉｎａｌ＿ｎｅｔｗｏｒｋ＿ｉｄ、ｓｅｒｖｉｃｅ＿ｉｄ、ｒｅｍｏｔｅ＿ｃｏｎｔｒｏｌ＿ｉｄ、（以下省略）の順で各データが格納されている。以下、各データの概要について説明する。
【００９２】
受信レベルは、デジタル放送チューナー２が受信する電波の状況を示す。
【００９３】
放送局名は、ＮＩＴの第一ループに挿入する記述子のネットワーク名記述子である。
（ＡＲＩＢ  ＴＲ−Ｂ１４第二分冊  第４編  ３０．４．２．１章を参照）
周波数は、ＮＩＴの第二ループに挿入する記述子の地上分配システム記述子である。
（ＡＲＩＢ  ＴＲ−Ｂ１４第二分冊  第４編  ３０．４．３．２章を参照）
ｎｅｔｗｏｒｋ＿ｉｄは、ＮＩＴの中に記述する。
（ＡＲＩＢ  ＴＲ−Ｂ１４第二分冊  第４編  ３０．４．１章の「構造体」を参照）
ｏｒｉｇｉｎａｌ＿ｎｅｔｗｏｒｋ＿ｉｄは、ＮＩＴの中に記述する。
（ＡＲＩＢ  ＴＲ−Ｂ１４第二分冊  第４編  ３０．４．１章の「構造体」を参照）
ｔｒａｎｓｐｏｒｔ＿ｓｔｒｅａｍ＿ｉｄは、ＮＩＴの中に記述する。
（ＡＲＩＢ  ＴＲ−Ｂ１４第二分冊  第４編  ３０．４．１章の「構造体」を参照）
ｓｅｒｖｉｃｅ＿ｉｄは、ＮＩＴの第二ループに挿入する記述子のサービスリスト記述子である。
（ＡＲＩＢ  ＴＲ−Ｂ１４第二分冊  第４編  ３０．４．３．１章を参照）
ｒｅｍｏｔｅ＿ｃｏｎｔｒｏｌ＿ｉｄは、ＮＩＴの第二ループに挿入するＴＳ情報記述子である。
（ＡＲＩＢ  ＴＲ−Ｂ１４第二分冊  第４編３０．４．３．４章を参照）
（放送帯域の決定）
空帯域検出部６は、受信状況テーブル５を参照して放送が行われていない帯域、すなわち空帯域を検出する。
【００９４】
空帯域が１つだけ検出された場合は、その空帯域を放送信号送出装置１０１から出力するＲＦ信号（以下、家庭内放送信号と記載）の放送帯域として決定する。
【００９５】
空帯域が１つも検出できない場合は、空帯域検出部６は、以下のいずれかの方法によって放送帯域を決定する。
【００９６】
１つ目の方法は、視聴者に使用可能な帯域を５つ信号強度の小さい順に提示し、選択させるという方法である。たとえば、このとき、提示する帯域数は視聴者に予め決定させておいてもよい。
【００９７】
２つ目の方法は、空帯域検出部６が、使用可能な帯域のうち信号強度の最も小さい帯域を放送帯域として自動的に決定する。
【００９８】
一方、空帯域を複数検出した場合は、空帯域検出部６は、以下のいずれかの方法によって放送帯域を決定する。
【００９９】
１つ目の方法は、空帯域が検出できない場合の１つ目の方法と同様に、視聴者に使用可能な帯域から選択してもらう。
【０１００】
２つ目の方法も、空帯域が検出できない場合の２つ目の方法と同様に、空帯域検出部６が、信号強度の最も小さい帯域を放送帯域として自動的に決定する。信号の混合を回避するため、隣接する帯域に放送がない帯域があれば、その帯域を優先的に放送帯域に決定する。
【０１０１】
なお、空帯域検出部６によって検出せずに、視聴者から空帯域を入力してもらう空帯域入力部（図示せず）を新たに設けることによって、家庭内放送を放送する放送帯域を決定してもよい。ここでは限定しない。
【０１０２】
空帯域検出部６を使用せず、空帯域を検出するさらに別の方法として、以下のように放送信号送出装置１０１を構成してもよい。
【０１０３】
視聴者によって地域情報の手入力、または、地域情報を自動的に検出するサーバによって地域情報を入力する地域情報入力部（図示せず）、地域情報と空き帯域との対応を示すデータテーブル、および、当該データテーブルによって地域情報からその地域の空きチャネルを求める空帯域取得部（図示せず）を新たに設ける。これにより、視聴者の居住地域に存在する空帯域を求め、その空帯域を家庭内放送の放送帯域に決定する。
【０１０４】
検出帯域設定部７は、空帯域検出部６において検出した空帯域を家庭内放送の放送帯域、すなわち、家庭内放送の変調先帯域としてＴＳ変調部１２に設定する。
【０１０５】
通信部８は、外部のネットワーク（たとえばインターネット）上のサーバ（ここでは図示せず）と通信し、さまざまなデータを受信する。そして、受信した情報をコンテンツＴＳ作成部９に出力する。
【０１０６】
コンテンツＴＳ作成部９は、入力された受信情報に基づき、家庭内放送に放出可能な形式のコンテンツＴＳを作成する。具体的には、ＡＲＩＢ規格番号ＡＲＩＢ  ＴＲ−Ｂ１４の「ＡＲＩＢ  ＴＲ−Ｂ１４  第三分冊  第７編」の９．１章に記載のネットワーク識別、ＴＳ識別、およびサービス識別の割り当て方法についてのガイドラインにしたがってＴＳを作成する。ＳＤＴＴ（Ｓｏｆｔｗａｒｅ  Ｄｏｗｎｌｏａｄ  Ｔｒｉｇｇｅｒ  Ｔａｂｌｅ）内の上記各識別の詳細は、セクション９．２．７に開示されている。また、デジタル放送地域において既に割り当て済みの識別については、同資料の表９−１に一覧として記載されている。コンテンツＴＳ作成部９は、この表データを参照することにより、空いている識別番号を判別することができる。コンテンツＴＳ作成部９は、上記のように作成したＴＳをＭＰＥＧ２ＴＳ多重化部１１に出力する。
【０１０７】
一方、放送データ作成部１０は家庭内放送のＴＳが、当該ＴＳを受信するテレビが、放送データとして認識できるようにする放送データを作成し、ＰＳＩ／ＳＩとしてＭＰＥＧ２ＴＳ多重化部１１に出力する。
【０１０８】
ＭＰＥＧ２ＴＳ多重化部１１は、入力された放送データをＴＳ形式に変換し、コンテンツＴＳ作成部９から入力されたコンテンツＴＳとともに多重化する。そして多重化したＴＳをＴＳ変調部１２に出力する。
【０１０９】
変調部１２は、入力されたＴＳを、検出帯域設定部７によって設定された放送帯域に基づいて変調する。そして変調したＴＳをＲＦ信号（家庭内放送）としてＲＦ信号混合部１３に出力する。
【０１１０】
（ＲＦ信号の混合）
ＲＦ信号混合部１３は、入力されたＲＦ信号を、上記放送帯域以外の一般放送帯域の放送ＲＦ信号と混合して、放送信号送出装置１０１の外部に送出する。このように、放送信号送出装置１０１は、一般の放送電波と、当該装置から送出される放送電波とを混合しているため、受信アンテナの入力が１つである従来の地上デジタルＴＶアンテナでも、一般の放送と区別なく受信することが可能である。
【０１１１】
上記のように、放送信号送出装置１０１は、空帯域が検出できない場合にも放送可能な放送帯域を検出し、当該放送帯域に合わせて、外部ネットワークを介して受信するテレビ放送データ以外のデータを、テレビが受信可能な放送データに変換して変調する。したがって、すでに放送されている帯域とぶつかることなく、空帯域（電波強度が弱かったため、放送に使用されていなかった帯域）または任意に指定された帯域において、一般の放送データとは異なるデータを、テレビ側では一般の放送データと区別なく受信および表示することができる。
【０１１２】
なお、本実施形態では、ＲＦ信号を受信し、家庭内放送のＲＦ信号として送出する構成としたがこれに限らない。無線を介して放送信号を受信する代わりに、有線を介して放送信号を受信し、有線を介して送出してもよい。
【０１１３】
〔実施形態２〕
本発明に係る放送信号送出装置の第２の実施形態について、図３を参照して以下に説明する。図３は、本実施形態に係る放送信号送出装置１０２の構成を示すブロック図である。第１の実施形態に係る部材と共通する部材には同じ番号を付し、詳細な説明を省略する。
【０１１４】
図３に示すように、放送信号送出装置１０２には、受信アンテナ１とＲＦ信号混合部１３との間に、電波減衰フィルタ１４がさらに設けられている。
【０１１５】
また、一般放送信号と家庭内放送信号との周波数が重ならないか判定する、空帯域監視部（図示せず）が空帯域検出部６の内部に設けられている。さらに、ＭＰＥＧ２ＴＳ多重化部１１の内部には、放送データ以外のデータを多重化することが可能なデータ多重化部（図示せず）が設けられている。
【０１１６】
電波減衰フィルタ１４は、以下のような状況において機能する。
【０１１７】
第１の実施の形態において、家庭内放送で使用する放送帯域において、一般放送の放送が新たに始まった場合は、周波数がぶつかって家庭内放送信号と一般放送信号とが混信してしまう恐れがある。このような場合、電波減衰フィルタ１４は、新しい一般放送信号の電波を減衰する。
【０１１８】
そして、ＲＦ信号混合部１３は、減衰した一般放送信号と家庭内放送信号とを混合し、放送信号送出装置１０２の外部に出力する。これにより、たとえ家庭内放送の放送帯域に一般放送の放送信号が生じたとしても、当該一般放送信号と家庭内放送信号とが混信してしまうことを回避することが可能である。
【０１１９】
このとき、一般放送において新たな放送が始まり、空帯域監視部が、当該一般放送と家庭内放送との周波数がぶつかったことを検出すると、周波数がぶつかった旨を視聴者に通知することも可能である。具体的には、放送データ作成部１０において、視聴者に通知する画面を生成し、ＭＰＥＧ２ＴＳ多重化部１１に出力する。ＭＰＥＧ２ＴＳ多重化部１１は、入力された通知データをＴＳ形式に変換し、上述したデータ多重化部によって多重化し、ＴＳ変調部１２にする。
【０１２０】
また、視聴者に一般放送と家庭内放送との周波数がぶつかった旨を通知した後、視聴者の指示によって、または、自動的に、別の空帯域に家庭内放送を移動させることもできる。このとき、放送信号送出装置１０２は、放送データ作成部１０において、家庭内放送を介して視聴者の指示を促す画面作成し、テレビに当該画面が表示されたあと、視聴者の指示をリモコンによって受け付けてもよい。
【０１２１】
放送信号送出装置１０２は、家庭内放送を別の空帯域へ移動させる旨の視聴からの指示を受け付けると、デジタル放送チューナー２からＴＳを取得してから、空帯域検出部６において空帯域を検出するまでの処理を再度行う。
【０１２２】
視聴者からの指示を仰ぐのではなく、空帯域検出部６において自動的に再度空帯域を検出してもよい。
【０１２３】
どちらの場合も、家庭内放送が放送されるチャンネルが変更されることになる。したがって、当該家庭内放送を受信するテレビにおいて、家庭内放送用のチャンネルを新たなチャンネルに切り替える必要がある。このとき、家庭内放送用の新しいチャンネルを自動的にテレビに設定したい場合は、チャンネルを変更するためのテレビのリモコン信号を、放送信号送出装置１０２から発生させることによって、自動的に変更してもよい。
【０１２４】
〔実施形態３〕
本発明に係る放送信号送出装置の第３の実施形態について、図４を参照して以下に説明する。図４は、本実施形態に係る放送信号送出装置１０３の構成を示すブロック図である。第１の実施形態に係る部材と共通する部材には同じ番号を付し、詳細な説明を省略する。
【０１２５】
図４に示すように、放送信号送出装置１０３では、放送データ作成部１０、ＭＰＥＧ２ＴＳ多重化部１１、および、ＴＳ変調部１２のそれぞれが、多重化されている。
【０１２６】
これにより、出力すべき家庭内放送のデータストリームが複数ある場合でも、複数の帯域を家庭内放送として使用することが可能となる。
【０１２７】
第１の実施の形態においては、放送が行われていない空帯域は１つ検出するだけであった。しかしながら、本実施形態においては、空帯域検出部６は、出力すべき家庭内放送の帯域の数だけ空帯域を検出する必要がある。
【０１２８】
もし必要な数の空帯域が検出できなかった場合は、第１の実施の形態において説明したように、信号強度が小さい帯域順に順次、家庭内放送の放送帯域を割り当ててもよい。
【０１２９】
〔実施形態４〕
本発明に係る放送信号送出装置の第４の実施形態について、図５を参照して以下に説明する。図５は、本実施形態に係る放送信号送出装置１０４の構成を示すブロック図である。第３の実施形態に係る部材と共通する部材には同じ番号を付し、詳細な説明を省略する。
【０１３０】
図５に示すように、放送信号送出装置１０４には、受信アンテナ１とＲＦ信号混合部１３との間に、電波減衰フィルタ１４がさらに設けられている。
【０１３１】
また、一般放送信号と家庭内放送信号との周波数が重ならないか判定する、空帯域監視部（図示せず）が空帯域検出部６の内部に設けられている。さらに、ＭＰＥＧ２ＴＳ多重化部１１の内部には、放送データ以外のデータを多重化することが可能なデータ多重化部（図示せず）が設けられている。
【０１３２】
これにより、第３の実施の形態において、たとえ家庭内放送の放送帯域に一般放送の放送信号が生じたとしても、当該一般放送信号と家庭内放送信号とが混信してしまうことを回避することが可能である。上記各部の詳細は、第２の実施形態において説明した処理と同様であるため、ここでは詳細な説明を省略する。
【０１３３】
〔実施形態５〕
本発明に係る放送信号送出装置の第５の実施形態について、図６を参照して以下に説明する。図６は、本実施形態に係る放送信号送出装置１０５の構成を示すブロック図である。第１の実施形態に係る部材と共通する部材には同じ番号を付し、詳細な説明を省略する。
【０１３４】
図６に示すように、放送信号送出装置１０５には、第１の実施形態に係る放送信号送出装置１０１と異なり、デジタル放送チューナー２、パケットＤｅｍｕｘｅｒ３、セクション情報抽出部４、受信状況テーブル５、空帯域検出部６、および、検出帯域設定部７が設けられていない。代わりに、周波数設定部１５が設けられている。
【０１３５】
周波数設定部１５は、一般のデジタル放送で使用される周波数の帯域外の電波を受信可能な特殊なテレビを使用する場合に設けられる。周波数設定部１５は、具体的には、その放送帯域外の周波数を検出しＴＳ変調部１２に設定する。これにより、ＴＳ変調部１２は、その放送帯域外の周波数に合わせてＴＳを変調することができる。したがって、特に空帯域の検出をする必要なく、家庭内放送信号を放送帯域外の周波数に合わせて変調し送出することが可能である。
【０１３６】
使用するテレビによって、上記の放送帯域外の周波数が異なることもあるが、周波数設定部１５は、使用するテレビごとに放送帯域外の周波数を設定することが可能である。
【０１３７】
〔実施形態６〕
本発明に係る放送信号送出装置の第６の実施形態について、図７を参照して以下に説明する。図７は、本実施形態に係る放送信号送出装置１０６の構成を示すブロック図である。第１の実施形態に係る部材と共通する部材には同じ番号を付し、詳細な説明を省略する。
【０１３８】
図７に示すように、放送信号送出装置１０６には、時刻入力部１６、時刻設定部１７、および、ＴＯＴパケット作成部１８がさらに設けられている。
【０１３９】
セクション情報抽出部４において、時刻情報をＴＳパケット情報内のセクション情報から抽出する。具体的には、ＴＯＴ（Ｔｉｍｅ  Ｏｆｆｓｅｔ  Ｔａｂｌｅ）から抽出する。そして、セクション情報抽出部４は、抽出した時刻情報を、時刻入力部１６に出力する。
【０１４０】
時刻入力部１６は、時刻情報を時刻設定部１７に出力する。時刻設定部１７は、入力された時刻情報をＴＯＴパケット作成部１８の内部時計に設定する。
【０１４１】
ＴＯＴパケット作成部１８は、正しい時刻に補正された内部時計の時刻に基づき、家庭内放送のＴＳ中に挿入するＴＯＴパケットを作成し、ＭＰＥＧ２ＴＳ多重化部１１に出力する。以降の各部の処理は、第１の実施形態と同様であるため、ここでは詳細な説明を省略する。
【０１４２】
これにより、当該家庭内放送を受信するテレビに時刻を通知することが可能になる。
【０１４３】
〔実施形態７〕
本発明に係る放送信号送出装置の第７の実施形態について、図８を参照して以下に説明する。図８は、本実施形態に係る放送信号送出装置１０７の構成を示すブロック図である。第６の実施形態に係る部材と共通する部材には同じ番号を付し、詳細な説明を省略する。
【０１４４】
図８に示すように、放送信号送出装置１０７には、放送信号送出装置１０６における時刻入力部１６の代わりに、時刻入力部１９が設けられている。
【０１４５】
一般放送が受信できない状況において、家庭内放送を送信したい場合に、内部時計を手入力で設定する必要がある。一般放送が受信できない状況とは、たとえば、離島における受信や、障害物などによる受信障害などである。また、アンテナ設備のない施設においては、当然受信できない状況となる。
この場合、時刻入力部１９は、視聴者からの時刻入力を受け付け、時刻設定部１７に出力する。このとき視聴者は、リモコンなどによって時刻入力部１９に入力する構成としてもよい。
【０１４６】
以降の各部の処理および本実施形態の効果は、第６の実施形態と同様であるため、詳細な説明を省略する。
【０１４７】
〔実施形態８〕
本発明に係る放送信号送出装置の第８の実施形態について、図９を参照して以下に説明する。図９は、本実施形態に係る放送信号送出装置１０８の構成を示すブロック図である。第６の実施形態に係る部材と共通する部材には同じ番号を付し、詳細な説明を省略する。
【０１４８】
図９に示すように、放送信号送出装置１０８には、放送信号送出装置１０６における時刻入力部１６の代わりに、時刻入力部２０が設けられている。
【０１４９】
時刻入力部２０は、外部ネットワークにおけるＮＴＰ（Ｎｅｔｗｏｒｋ  Ｔｉｍｅ  Ｐｒｏｔｏｃｏｌ）等によって、時刻を外部ネットワークから取得する。そして、取得した時刻を時刻設定部１７に出力する。
【０１５０】
以降の各部の処理および本実施形態の効果は、第６の実施形態と同様であるため、詳細な説明を省略する。
【０１５１】
なお、図９に示す外部ネットワークは、Ｅｔｈｅｒネット（登録商標）に限らず、放送信号送出装置１０８と通信可能なネットワークであればよい。例としてインターネットで使用されているＮＴＰを上述したが、時刻入力部２０は、別のネットワーク上に存在する機器が保持する時刻情報を入力してもよい。たとえば、ＥＣＨＯネットなど別のネットワークに接続されている冷蔵庫などの家電製品において保持している時刻情報を、その時刻を取得するための特別なプロトコルを用いて取得してもよい。
【０１５２】
〔実施形態９〕
本発明に係る放送信号送出装置の第９の実施形態について、図１０を参照して以下に説明する。図１０は、本実施形態に係る放送信号送出装置１０９の構成を示すブロック図である。第１の実施形態に係る部材と共通する部材には同じ番号を付し、詳細な説明を省略する。
【０１５３】
図１０に示すように、放送信号送出装置１０９には、コンテンツスケジュール入力部２１、ＥＰＧ作成部２２、および、ＥＩＴ作成部２３がさらに設けられている。
【０１５４】
コンテンツスケジュール入力部２１は、家庭内放送信号に含まれるコンテンツ・データのスケジュールを表すスケジュールデータの入力を受け付ける。スケジュールデータは、ＳＤカードなどのメディアを介して、または視聴者による手入力によって入力される。コンテンツスケジュール入力部２１は、受け付けたスケジュールをＥＰＧ作成部２２に出力する。
【０１５５】
ＥＰＧ作成部２２は、入力されたスケジュールに基づき、ＥＰＧ（登録商標）（Ｅｌｅｃｔｒｏｎｉｃ  Ｐｒｏｇｒａｍ  Ｇｕｉｄｅ、または電子番組表という）データを作成し、ＥＩＴ作成部２３に出力する。
【０１５６】
ＥＩＴ作成部２３は、ＥＰＧデータに基づき、テレビが解釈できる形式に変換してＥＩＴパケットを作成し、多重化したものをＭＰＥＧ２ＴＳ多重化部１１に出力する。
【０１５７】
以降の各部の処理は、第１の実施形態と同様であるため、詳細な説明を省略する。
【０１５８】
これにより、家庭内放送を受信するテレビにＥＰＧデータを送出することが可能になる。
【０１５９】
〔実施形態１０〕
本発明に係る放送信号送出装置の第１０の実施形態について、図１１を参照して以下に説明する。図１１は、本実施形態に係る放送信号送出装置１１０の構成を示すブロック図である。第９の実施形態に係る部材と共通する部材には同じ番号を付し、詳細な説明を省略する。
【０１６０】
図１１に示すように、放送信号送出装置１１０には、図１０を参照して説明した放送信号送出装置１０９とは異なり、コンテンツスケジュール入力部２１が設けられておらず、ＥＰＧ作成部２２の代わりに、ＥＰＧデータ取得部２４が設けられている。
【０１６１】
ＥＰＧデータ取得部２４は、外部のネットワーク上のサーバ（図示せず）と通信しＥＰＧデータを取得して、ＥＩＴ作成部２３に出力する。ここでいうサーバとは、個人向けの放送スケジュールサービスの情報を取得するサーバである。
【０１６２】
以降の各部の処理および効果は、第９の実施形態と同様であるため、詳細な説明を省略する。
【０１６３】
〔実施形態１１〕
本発明に係る放送信号送出装置の第１１の実施形態について、図１２を参照して以下に説明する。図１２は、本実施形態に係る放送信号送出装置１１１の構成を示すブロック図である。第１の実施形態に係る部材と共通する部材には同じ番号を付し、詳細な説明を省略する。
【０１６４】
図１２に示すように、放送信号送出装置１１１には、ロゴデータ入力部２５およびＣＤＴ作成部２６がさらに設けられている。
【０１６５】
ロゴデータ入力部２５は、ロゴデータを格納する領域を保持し、放送信号送出装置１１１がロゴデータを取得していない場合は、外部のネットワークからロゴデータを取得して、ＣＤＴ作成部２６に出力する。
【０１６６】
ＣＤＴ作成部２６は、入力されたロゴデータに基づき、ＣＤＴ（Ｃｏｍｍｏｎ  Ｄａｔａ  Ｔａｂｌｅ）パケットを作成し、ＭＰＥＧ２ＴＳ多重化部１１に出力する。
【０１６７】
ここで、ＣＤＴによるロゴ伝送について補足する。外部ネットワークからダウンロードされたロゴデータをＣＤＴによって伝送する方式は、ＡＲＩＢ規格番号ＡＲＩＢ  ＴＲ−Ｂ１４の「ＡＲＩＢ  ＴＲ−Ｂ１４  第一分冊（１／２）第１編」の「５  ダウンロード伝送ガイドライン」に詳細が記載されている。また、ＣＤＴの詳細な構造については、同資料の５．４章「ＣＤＴ方式の伝送」に開示されている。外部ネットワークからダウンロードしたロゴデータは、ＳＤＴサービスループにＣＤＴ伝送方式１のロゴ伝送記述子が配置されているときに、放送信号として送出が可能である。具体的には、ＣＤＴ内の、「ｄａｔａ＿ｍｏｄｕｌｅ＿ｂｙｔｅ」にロゴデータを配置して伝送する。本伝送方式の詳細は、ＡＲＩＢ規格番号ＡＲＩＢ  ＳＴＤ−Ｂ２１の資料のセクション１２．２．２．２「ダウンロードコンテンツ・セクション伝送方式」に開示されている。さらに、ロゴデータのデータフォーマットは、同資料の「付属３  ダウンロード機能  Ａｐｐｅｎｄｉｘ  Ａ  ３．３  ロゴデータの更新」に開示されている。
【０１６８】
以降の各部の処理は、第１の実施形態と同様であるため、詳細な説明を省略する。
【０１６９】
これにより、家庭内放送を受信するテレビにロゴデータを送信することが可能になる。
【０１７０】
〔実施形態１２〕
本発明に係る放送信号送出装置の第１２の実施形態について、図１３を参照して以下に説明する。図１３は、本実施形態に係る放送信号送出装置１１２の構成を示すブロック図である。第１の実施形態に係る部材と共通する部材には同じ番号を付し、詳細な説明を省略する。
【０１７１】
図１３に示すように、放送信号送出装置１１２には、チャンネル番号作成部２７がさらに設けられている。
【０１７２】
チャンネル番号作成部２７は、まず、受信状況テーブル５を参照し、空帯域のチャンネル番号（以下、空きチャンネル番号と記載）を取得する。
【０１７３】
空きチャンネル番号を１つだけ取得できた場合は、当該空きチャンネル番号を家庭内放送に対してチャンネル番号作成部２７が、自動的に割り当てる。
【０１７４】
空きチャンネル番号を複数検出した場合は、家庭内放送をどの空きチャンネル番号に割り当てるかを、視聴者が選択してもよい。または、チャンネル番号作成部２７に、最も小さい、最も大きい、またはｎ番目に大きいなどのチャンネル番号の選択優先度を予め設定できるようにしておき、当該優先度に基づいて選択した空きチャンネル番号に家庭内放送を自動的に割り当ててもよい。
【０１７５】
一方、空きチャンネル番号が１つも検出できなかった場合は、視聴者が、一般放送チャンネルのうち任意のチャンネル番号を家庭内放送に割り当てる番号として指定してもよい。このとき、割り当てるチャンネル番号は、リモコンにダイレクト選局キーがある１〜１２チャンネルのいずれかの番号としてもよい。
【０１７６】
しかしチャンネル番号はこれらに限らない。リモコン上に、視聴者が任意のチャンネル番号を割り当てることが可能なように選局キーを配置してもよい。たとえば入力切替キーによって選べるメニューの中に、任意のチャンネル番号を表示し、当該チャンネル番号に家庭内放送を割り当て可能にしても良い。
【０１７７】
空きチャンネル番号が１つも検出できなかった場合のチャンネル番号の指定方法として、チャンネル番号作成部２７が、視聴者の使用頻度が最も少ない一般放送のチャンネル番号を自動的に家庭内放送に割り当ててもよい。チャンネル番号作成部２７が空きチャンネル番号をスキャンする方法として、ＡＲＩＢ規格番号ＡＲＩＢ  ＴＲ−Ｂ１４の「ＡＲＩＢ  ＴＲ−Ｂ１４  第一分冊（１／２）第２編」の６．２章および図７−１に開示されている方法を採用してもよい。
【０１７８】
チャンネル番号作成部２７は、割り当てた空きチャンネル番号に基づいてＮＩＴ（Ｎｅｔｗｏｒｋ  Ｉｎｆｏｒｍａｔｉｏｎ  Ｔａｂｌｅ）パケットを作成し、ＭＰＥＧ２ＴＳ多重化部１１に出力する。このとき、ＮＩＴのＴＳ情報記述子にある「ｒｅｍｏｔｅ＿ｃｏｎｔｒｏｌ＿ｉｄ」（以下、リモコン識別と記載）に、家庭内放送に割り当てたチャンネル番号を割り当てる。
【０１７９】
このとき、リモコン識別の値は、１〜１２のいずれかの値を取ることができるが、広域において使用されているチャンネルのリモコン識別と重複しないように割り当てる必要がある。このためには、ＡＲＩＢ  ＴＲ−Ｂ１４第三分冊  第７編  ９．１．３に記載されているｓｅｒｖｉｃｅ＿ｉｄ（サービス識別）を参照し、地域識別を取得して割り当てればよい。ここで家庭内放送では、上記の地域識別を使用する。一方、地域事業者識別は、視聴者の地域の事業者と重複しない値を、ＡＲＩＢ  ＴＲ−Ｂ１４第三分冊  第７編  ９．２．１章に記載の表を参照して、選択する必要がある。
【０１８０】
チャンネル番号作成部２７が上記の方法で空きチャンネルを検出し、当該空きチャンネルが万が一、視聴者が使用しているリモコンに割り当てられている選局キーの１つである場合、家庭内放送と、元の番組の放送のどちらかは、ワンタッチ選局ができなくなるが、ＥＰＧからの選局およびダイレクト選局は可能である。なお、チャンネル番号作成部２７が空きチャンネルをスキャンするときに、ワンタッチボタン（１リモコンキーに１局の番組を割り当てるためのボタン）を割り当てる例が、上記資料の図１１−１に開示されている。
【０１８１】
以降の各部の処理は、第１の実施形態と同様であるため、詳細な説明を省略する。
【０１８２】
これにより、家庭内放送を受信するテレビに、当該家庭内放送を放送するチャンネル番号を送信することが可能になる。
【０１８３】
〔実施形態１３〕
本発明に係る放送信号送出装置の第１３の実施形態について、図１４を参照して以下に説明する。図１４は、本実施形態に係る放送信号送出装置１１３の構成を示すブロック図である。第１の実施形態に係る部材と共通する部材には同じ番号を付し、詳細な説明を省略する。
【０１８４】
図１４に示すように、放送信号送出装置１１３には、ＥＩＴ作成部２３、記録メディア２８、コンテンツ読出部２９、およびコンテンツ情報作成部３０がさらに設けられている。通信部８は設けられていない。
【０１８５】
ＥＩＴ作成部２３は、本発明に係る第１０の実施形態において説明したＥＩＴ作成部２３と同一である。
【０１８６】
記録メディア２８は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、ＳＤカード等の各種メモリーカード、次世代ＤＶＤ等のディスク型記録メディア、または、磁気テープ等である。視聴者が任意のデータを記録できるものであればよい。特に限定しない。
【０１８７】
本実施形態では、外部ネットワークから家庭内放送に放送するコンテンツを取得する代わりに、記録メディア２８に記録されたコンテンツを取得し、家庭内放送に放送するコンテンツに変換する。具体的には、コンテンツ読出部２９が、記録メディア２８に記録されているコンテンツデータを読出し、コンテンツ情報作成部３０に出力する。
【０１８８】
コンテンツ情報作成部３０は、入力されたコンテンツデータに基づいてコンテンツ情報を作成し、ＥＩＴ作成部２３に出力する。ここでいう、コンテンツ情報とは、家庭内放送コンテンツのタイトル、放送信号送出装置１１３から送出する日時、コンテンツの内容、およびコンテンツのコピー制御情報などである。
【０１８９】
以降の各部の処理は、第１０の実施形態と同様であるため、詳細な説明を省略する。
【０１９０】
〔実施形態１４〕
本発明に係る放送信号送出装置の第１４の実施形態について、図１５を参照して以下に説明する。図１５は、本実施形態に係る放送信号送出装置１１４の構成を示すブロック図である。第１の実施形態に係る部材と共通する部材には同じ番号を付し、詳細な説明を省略する。
【０１９１】
図１５に示すように、放送信号送出装置１１４には、コンテンツＴＳ作成部９が設けられていない。
【０１９２】
本実施形態では、通信部８が外部ネットワークからＴＳ形式のコンテンツを取得し、ＭＰＥＧ２ＴＳ多重化部１１に出力する。
【０１９３】
以降の各部の処理は、第１の実施形態と同様であるため、詳細な説明を省略する。
【０１９４】
上記コンテンツは、インターネット上のサーバから配信されるコンテンツ、または、家庭内ネットワークに接続されているＮＡＳ（Ｎｅｔｗｏｒｋ  Ａｔｔａｃｈｅｄ  Ｓｔｏｒａｇｅ）などのＤＬＮＡ（Ｄｉｇｉｔａｌ  Ｌｉｖｉｎｇ  Ｎｅｔｗｏｒｋ  Ａｌｌｉａｎｃｅ）サーバまたはｉ−Ｌｉｎｋで接続されているレコーダーおよびプレイヤーなどにおいて再生可能なコンテンツである。この場合、外部ネットワークを介して取得するすべてのコンテンツは、ＴＳ形式のコンテンツである。
【０１９５】
上記の構成により、視聴者は、外部ネットワークにおいて配信されているＴＳ形式のコンテンツを、あたかも一般放送データを受信しているかのように視聴することができる。
【０１９６】
また、放送データ作成部１０において、ＢＭＬ（Ｂｒｏａｄｃａｓｔ  Ｍａｒｋｕｐ  Ｌａｎｇｕａｇｅ）ブラウザが解釈できる形式のデータを作成し、ＭＰＥＧ２ＴＳ多重化部１１に出力することにより、放送信号送出装置１１４は、デジタルＴＶのＢＭＬブラウザで表示できる家庭内放送の信号を送出することが可能になる。したがって、家庭内放送を受信するデジタルＴＶにおいてＢＭＬブラウザを利用し、家庭内放送データや静止画をレンダリングさせることができる。
【０１９７】
〔実施形態１５〕
本発明に係る放送信号送出装置の第１５の実施形態について、図１６および図１７を参照して以下に説明する。
【０１９８】
図１６は、本実施形態に係る放送信号送出装置１１５の構成を示すブロック図である。第１の実施形態に係る部材と共通する部材には同じ番号を付し、詳細な説明を省略する。
【０１９９】
図１６に示すように、放送信号送出装置１１５には、ＥＩＴ作成部２３、コンテンツ情報作成部３０、およびコンテンツ変換部３１がさらに設けられている。
【０２００】
ＥＩＴ作成部２３は、第１０の実施形態において説明したＥＩＴ作成部２３と同一である。
【０２０１】
コンテンツ変換部３１は、通信部８から入力されたコンテンツデータを、家庭内放送を受信するテレビのＢＭＬブラウザが解釈できるデータ形式のＢＭＬに変換し、コンテンツＴＳ作成部９に出力する。
【０２０２】
コンテンツ情報作成部３０は、通信部８から入力されたコンテンツデータに基づき、ＥＰＧや、番組情報に反映させるコンテンツ情報を作成する。
【０２０３】
具体的には、コンテンツ情報作成部３０は、ＥＩＴの内容を変更し、ＥＰＧや、番組情報に反映させるコンテンツ情報を作成する。ＥＩＴは、大きく分けると、ＥＩＴ［ｐ／ｆ］およびＥＩＴ［ｓｃｈｅｄｕｌｅ］がある。
【０２０４】
ＥＩＴ［ｓｃｈｅｄｕｌｅ］はこれから送出予定のコンテンツ情報を含み、主にテレビ受信機がＥＰＧを作成するために使用する。一方、ＥＩＴ［ｐ／ｆ］は、現在送出中のコンテンツ情報(ＥＩＴｐ)、および、次に送出するコンテンツ情報(ＥＩＴｆ)を含む。すなわち、コンテンツのより詳細な情報を含む。テレビ受信機はこのより詳細な情報を用いて、番組情報を表示する。ＥＩＴｐの内容を変更すると、受信機で表示させる番組情報に変更が反映される。一方、ＥＩＴ［ｓｃｈｅｄｕｌｅ］の内容を変更すると、受信機側でＥＰＧに変更が反映される。これらの記述子については、ＡＲＩＢ規格番号ＡＲＩＢ  ＴＲ−Ｂ１４の「ＡＲＩＢ  ＴＲ−Ｂ１４  第二分冊  第４編」の３１．３章に詳細が記載されている。
【０２０５】
放送信号送出装置１１５は、上記のように、外部ネットワークから取得したコンテンツをＢＭＬに変換することにより、家庭内放送を受信するテレビのＢＭＬブラウザにおいて、ＨＴＭＬや画像データなどのＷＥＢ上のコンテンツを表示することが可能となる。
【０２０６】
次に図１７を参照し、本実施形態において想定しているポータル画面について説明する。図１７は、ポータル画面の映像の一例である。放送信号送出装置１１５は、図１７に示すようなポータル画面をＢＭＬブラウザで表示可能な家庭内放送信号を送出することが可能である。
【０２０７】
図１７において、ポータル画面１６０に示すように、視聴者は、コンテンツを見る、家電設定情報を見る、家電を操作する、ヘルプ、およびフォーカスの説明の機能を実行させることができる。
【０２０８】
視聴者は、ＢＭＬブラウザに表示されている機能の画像を操作および選択できるリモコン、たとえば赤外線リモコンを使用して、上記の様々な機能を利用することが可能である。具体的には、視聴者は、リモコンの四方向矢印ボタンなどを押下して、利用したい機能メニューを選択状態にする。そしてリモコンに配置されている決定ボタンを押下、または、ＢＭＬブラウザに表示されている決定ボタンにリモコンのフォーカスを合わせてリモコン上の選択ボタンを押下するなどして、利用したい機能の情報をテレビに送信する。
【０２０９】
また、視聴者は、ポータル画面１６０の下部に表示されている、青赤黄緑の４色に対応するいずれかの設定機能を利用することができる。これら４色は、リモコンに配置されている４色のボタンに対応しており、視聴者は、いずれかの色のボタンを押下することにより、どの設定機能を利用するかをテレビに送信することができる。
【０２１０】
テレビは、視聴者によって指定された上記のいずれかの機能の情報を放送信号送出装置１１５に通知する。ここで、テレビから放送信号送出装置１１５に通知するために、予め放送信号送出装置１１５において、ＨＴＴＰローカルサーバ（図示せず）を起動しておき、テレビにおいては、ＢＭＬのｔｒａｍｓｍｉｔＴｅｘｔＤａｔａＯｖｅｒＩＰ（）やＬａｕｎｃｈＤｏｃｕｍｅｎｔ（）関数を利用して上記ローカルサーバと通信する構成としてもよい。
【０２１１】
上記の構成により、視聴者のリモコン操作によって指定された機能の情報を放送信号送出装置１１５に送信することが可能となる。したがって、放送信号送出装置１１５において、視聴者によって指定された機能の処理を実行することが可能となる。
【０２１２】
なお、本実施形態では、赤外線リモコン操作によって視聴者が利用したい機能を選択する構成としたが、機能を選択する方法はこれに限らない。視聴者が利用したい機能の情報をテレビに送信できる構成であればよい。
【０２１３】
〔実施形態１６〕
本発明に係る放送信号送出装置の第１６の実施形態について、図１８および図１９を参照して以下に説明する。
【０２１４】
まず、図１８を参照して、本実施形態に係る放送信号送出装置１１６の構成について説明する。図１８は、本実施形態に係る放送信号送出装置１１６の構成を示すブロック図である。第１の実施形態に係る部材と共通する部材には同じ番号を付し、詳細な説明を省略する。
【０２１５】
図１８に示すように、放送信号送出装置１１６には、ＥＩＴ作成部２３、ＥＰＧデータ取得部２４、家電用サーバ３２、および家電操作部３３がさらに設けられている。ＥＩＴ作成部２３およびＥＰＧデータ取得部２４は、第１０の実施形態において説明したそれぞれの部材と同一である。家電用サーバ３２および家電操作部３３の処理については後述する。
【０２１６】
次に、図１９を参照して、放送信号送出装置１１６と周辺機器およびネットワークとの接続状態を説明する。図１９は、放送信号送出装置１１６と、その周辺機器およびネットワークとの接続例を示す図である。
【０２１７】
図１９に示すように、放送信号送出装置１１６は、家庭内ＬＡＮ３４と接続する。また、テレビ３７も家庭内ＬＡＮ３４と接続する。このとき、テレビ３７のイーサネット（登録商標）端子が家庭内ＬＡＮ３４に接続されているものとする。本実施形態では、イーサネットＬＡＮ接続としているが、その他の通信方式による接続でもよい。たとえば、無線ＬＡＮ、ＢｌｕｅＴｏｏｔｈ（登録商標）、Ｚｉｇｂｅｅ（登録商標）などの通信においても、本実施形態は適用可能である。
【０２１８】
家庭内ＬＡＮ３４は、家の中の各種家電と、それぞれのセンサ３８、ＮＡＳ３５、およびルータ３６と接続されている。ここでいうセンサ３８とは、たとえば、ソーラーパネルの発電量センサ、室内の温度センサ、照明センサ、風呂の湯沸しセンサなどである。
【０２１９】
上記の構成において、放送信号送出装置１１６は、ＮＡＳ３５やインターネット上のコンテンツサーバから取得するコンテンツ、および、家庭内ＬＡＮ３４に接続する各種センサ３８のデータを取得し、テレビ３７において放送可能な形式に変換し、無線または有線を介して家庭内放送信号を送出する。
【０２２０】
上記の構成により、以下に挙げる様々な処理が可能となる。
【０２２１】
（放送信号送出装置１１６における設定の変更）
まず、視聴者は、放送信号送出装置１１６における各種設定を、テレビ３７のＢＭＬに対する操作を介して変更することが可能である。これを実現する構成としては、まず放送信号送出装置１１６における各種設定情報をテレビ３７のＢＭＬブラウザ上に表示して、視聴者が参照できるようにしておく。そして視聴者は、変更したい設定情報および値を、ＢＭＬブラウザに対応したリモコンなどを使用してテレビ３７に入力する。テレビ３７は、入力された変更対象の設定情報と値を放送信号送出装置１１６に送信する。ここで、送信するための構成は、実施形態１５において説明したとおりである。これにより、視聴者は、家庭内放送の帯域の変更、当該家庭内放送に送出するデータ自体の変更、各帯域に対応するチャンネル番号の変更、ロゴデータの変更、および、一般放送と家庭内放送を混合した番組構成の変更などをすることができる。
【０２２２】
視聴者が番組構成を変更した場合、放送信号送出装置１１６は、変更された番組構成にしたがって放送信号を送出する。これにより、ＥＰＧと番組との齟齬が生じないようにすることができる。
【０２２３】
（家電センサデータの取得）
さらに、視聴者は、上述した各種センサのデータをテレビ３７の画面において監視し、必要に応じて、各種家電の設定情報を変更することができる。これは以下のような処理によって実現可能である。まず通信部８が、家庭内ＬＡＮ３４を介して各種センサ３８のデータを受信する。家電用サーバ３２は通信部８を介して、各種センサ３８のデータを収集し、ＥＰＧデータ取得部２４に出力する。
【０２２４】
以降の各部の処理は第１０の実施形態と同様であるため、ここでは詳細な説明を省略する。
【０２２５】
これにより、各種センサ３８のデータをテレビ３７において放送可能な信号に変換することができる。したがって、視聴者は、テレビ３７の画面において各種センサが示す情報を確認し、当該情報に基づいて、必要に応じて各家電の設定を変更することが可能となる。
【０２２６】
なお、家電用サーバ３２が家庭内ＬＡＮ３４上に存在する家電を認識するための方法として、以下のいずれかの方法を用いることができる。
【０２２７】
１つめは、キーボードやリモコンなどを使用して、視聴者が直接放送信号送出装置１１６に監視対象の家電を入力する方法である。２つめは、視聴者が、外部ネットワークに接続する他のＰＣから、または、テレビ３７のＢＭＬブラウザに対応するリモコン操作を使用して、監視対象の家電を設定する方法である。３つめは、放送信号送出装置１１６が家庭内ＬＡＮ３４に接続する家電を自動的に検出する方法である。以上、３つの方法をあげたが、家電を認識するための方法はこれらに限らない。家電用サーバ３２が、家庭内ＬＡＮ３４に接続する家電を認識できる構成であればよい。
【０２２８】
また、家電用サーバ３２が各種センサ３８のデータを収集する場合、以下のいずれかの方法を用いることができる。
【０２２９】
１つめは、予め視聴者によって設定された時間に、各種センサ３８からデータを収集する方法である。視聴者は、各種データを収集させたい時間を、テレビ３７のＢＭＬブラウザ上で入力してもよいし、キーボードやリモコンなどを使用して、直接放送信号送出装置１１６に入力してもよい。２つめは、視聴者が家電を使用する度に、自動的にその家電による測定値などのデータを家電用サーバ３２に送信する方法である。この方法では、たとえば体重計の場合、視聴者が体重を測定したタイミングで、自動的に体重のデータを家電用サーバ３２に送信する。３つめは、視聴者が任意の情報を、携帯電話などの各種携帯可能な端末から家電用サーバ３２に送信する方法である。
【０２３０】
（家電設定の変更）
家電の設定を変更する場合は、視聴者は、設定を変更したい家電および設定値の情報を、ＢＭＬブラウザに対応したリモコンなどを使用してテレビ３７に入力する。テレビ３７は、入力された変更対象の家電情報と設定値を放送信号送出装置１１６に送信する。ここで、テレビ３７から放送信号送出装置１１６に情報を送信するための構成は、実施形態１５において説明したとおりである。
【０２３１】
放送信号送出装置１１６の家電用サーバ３２は、家電情報と設定値を家電操作部３３に出力する。家電操作部３３は、入力された家電情報と設定値に基づき、変更対象の家電の設定値を変更する。
【０２３２】
また、家電の設定を変更する場合の別の方法として、視聴者がＢＭＬ画面を操作して指定した任意の日時、変更対象の家電、およびその設定値の情報に基づいて、家電操作部３３が自動的に通信して制御してもよい。
【０２３３】
このようにして、たとえば、エアコンの温度、照明の照度、または、風呂の湯沸し温度の変更などが、テレビ３７の画面操作によって可能となる。
【０２３４】
なお、単に家電の設定を確認して変更に用いる構成ではなく、家電の情報を利用したアプリケーションの実装も可能である。たとえば、ソーラーパネルの発電量をグラフにしたり、体重計のデータに基づき日々の変化をグラフにするなどといったアプリケーションが実現可能である。この場合、ＢＭＬブラウザに表示可能なグラフを作成する機能を家電用サーバ３２において実装すればよい。
【０２３５】
〔実施形態１７〕
本発明に係る放送信号送出装置の第１７の実施形態について、図２０を参照して以下に説明する。図２０は、本実施形態に係る放送信号送出装置１１７の構成を示すブロック図である。第１の実施形態に係る部材と共通する部材には同じ番号を付し、詳細な説明を省略する。
【０２３６】
図２０に示すように、放送信号送出装置１１７には、外部ネットワークと通信する通信部８が設けられておらず、代わりに、映像データ入力部３９および映像データ変換部４０が設けられている。
【０２３７】
映像データ入力部３９は、放送信号送出装置１１７の付属のカメラ（図示せず）、コンポジットディスプレイ、ＷＥＢカメラなどからの動画像データをＵＳＢ（登録商標）を介して取得し、映像データ変換部４０に入力する。
【０２３８】
映像データ変換部４０は、入力された動画像データをＴＳ形式に変換する。以降の各部の処理は、第１の実施形態と同様であるため、詳細な説明を省略する。
【０２３９】
これにより、放送信号送出装置１１７は、防犯カメラが捉えた動画像をテレビに表示してセキュリティに役立てたり、来客時のインターフォンＴＶの映像などをテレビに表示して客人の顔を見やすくしたりすることが可能である。
【０２４０】
なお、本実施形態では、映像データを入力する場合について説明したが、映像データ入力部３９は、音声データも入力可能な、映像音声入力データ部３９としてもよい。
【０２４１】
また、ＭＰＥＧ２ＴＳ多重化部１１においてＴＳを多重化する際、番組情報が変更された旨、すなわち、一般放送とは異なる映像データを放送する旨をＥＩＴに反映させる構成としてもよい。これにより、放送信号送出装置１１７は、何の映像を出力しているかを視聴者に通知することが可能になる。
【０２４２】
〔実施形態１８〕
本発明に係る放送信号送出装置の第１８の実施形態について、図２１を参照して以下に説明する。図２１は、本実施形態に係る放送信号送出装置１１８の構成を示すブロック図である。第１の実施形態に係る部材と共通する部材には同じ番号を付し、詳細な説明を省略する。
【０２４３】
図２１に示すように、放送信号送出装置１１８には、通信部８とコンテンツＴＳ作成部９との間に、映像音声データデコード部４１および映像音声データエンコード部４２が設けられている。
【０２４４】
映像音声データデコード部４１は、外部ネットワークを介して通信部８から入力された映像や音声のデータをデコードする。このとき、入力されたデータは、たとえば、通常のＴＶでデコードできないＨ．２６４などのフォーマットでエンコードされた映像データである。映像音声データデコード部４１は、デコードした映像データを、映像音声データエンコード部４２に出力する。
【０２４５】
映像音声データエンコード部４２は、入力された映像データを、ＭＰＥＧ２ＴＳフォーマットにエンコードし、コンテンツＴＳ作成部９に出力する。以降の各部の処理は、第１の実施形態と同様であるため、詳細な説明を省略する。
【０２４６】
上記の構成により、通常のＴＶでは視聴することができないＨ．２６４などのフォーマットでエンコードされた映像音声データを、通常のＴＶでデコードできるＭＰＥＧ２ＴＳフォーマットの映像音声データにエンコードすることが可能である。したがって、放送信号送出装置１１８は、通常のデジタルＴＶにおいても視聴可能な映像音声データを出力することができる。
【０２４７】
〔実施形態１９〕
本発明に係る放送信号送出装置の第１９の実施形態について、図２２を参照して以下に説明する。図２２は、本実施形態に係る放送信号送出装置１１９の構成を示すブロック図である。第１の実施形態に係る部材と共通する部材には同じ番号を付し、詳細な説明を省略する。
【０２４８】
図２２に示すように、放送信号送出装置１１９には、鍵交換用サーバ４３および暗号化部４４がさらに設けられている。
【０２４９】
外部ネットワークには、家庭内放送を受信するテレビが接続されており、鍵交換用サーバ４３は、外部ネットワークを介して通信部８から当該テレビ専用の鍵データを取得する。そして、その鍵データをＭＰＥＧ２ＴＳ多重化部１１に出力する。
【０２５０】
ＭＰＥＧ２ＴＳ多重化部１１は、入力された放送データをＴＳ形式に変換し、コンテンツＴＳ作成部９から入力されたコンテンツＴＳ、および、鍵交換用サーバ４３から入力された鍵データとともに多重化する。そして多重化したＴＳを暗号化部４４に出力する。
【０２５１】
暗号化部４４は、鍵データを使用してＴＳを暗号化し、ＴＳ変調部１２に出力する。以降の各部の処理は、第１の実施形態と同様であるため、詳細な説明を省略する。
【０２５２】
上記の構成により、放送信号送出装置１１９は、外部ネットワーク経由で、家庭内放送を受信するテレビと鍵データを交換し、当該鍵データを用いて放送コンテンツを暗号化することが可能である。したがって、鍵交換用サーバ４３と鍵を交換したテレビのみでコンテンツの視聴が可能になる。つまり、視聴者は、コンテンツを視聴可能なテレビを限定し、第三者にコンテンツが漏れてしまうことなく視聴することが可能である。
【０２５３】
上記暗号化されたコンテンツをテレビにおいて復号化するときは、テレビに搭載されているＭＵＬＴＩ２の復号エンジンを利用して復号化してもよい。
【０２５４】
また、テレビ本体でコンテンツを復号化して認証する代わりに、ＢＣＡＳカードで認証してもよい。この場合は、通信部８が外部ネットワークを介して、テレビがコンテンツを復号するために必要なセクションデータ（ＣＡＴ、ＥＭＭ、ＥＣＭ）を取得し、ＭＰＥＧ２ＴＳ多重化部１１に出力しておく必要がある。ＣＡＴは、第１の実施形態で既に説明しているため、ここでは詳細を省略する。ＥＭＭおよびＥＣＭについて、以下補足する。
【０２５５】
ＥＭＭは、Ｅｎｔｉｔｌｅｍｅｎｔ  Ｃｏｎｔｒｏｌ  Ｍｅｓｓａｇｅの略称であり、デスクランブルを行う際に用いる関連情報のうちの番組情報、鍵情報（スクランブル鍵）及びデスクランブル機能の制御(有効化/無効化)情報のことである。共通情報と呼ばれる。
一方、ＥＣＭは、Ｅｎｔｉｔｌｅｍｅｎｔ  Ｍａｎａｇｅｍｅｎｔ  Ｍｅｓｓａｇｅの略称であり、個別契約情報や暗号を解くための鍵情報（ワーク鍵）などの情報のことである。個別情報と呼ばれる。
【０２５６】
ＥＭＭおよびＥＣＭを用いた限定受信の方式については、ＡＲＩＢ規格番号ＡＲＩＢ  ＳＴＤ−Ｂ２５の資料における第1部「受信時の制御方式（限定受信方式）」のセクション３．３．２および３．２．４に開示されている。特に受信フローの詳細は、同資料の図４−２に開示されている。
【０２５７】
ＭＰＥＧ２ＴＳ多重化部１１では、入力されたセクションデータとともに、ＴＳを多重化する。そして、暗号化部４４では、コンテンツＴＳのＰＩＤを指定して、ＭＵＬＴＩ２フォーマットでＴＳを暗号化する構成にする。これにより、当該ＴＳを復号可能なように登録されているＢＣＡＳカードが挿入されているテレビのみにおいてコンテンツを視聴することが可能となる。
【０２５８】
なお、本発明は上述した実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【産業上の利用可能性】
【０２５９】
本発明は、一般デジタル放送信号以外のデータをテレビで放送可能な形式に変換、変調、および送出する放送信号送出装置として、幅広く利用できる。たとえば、デジタル放送対応のテレビおよび外部のネットワークと無線または有線を介して接続する放送信号送出装置として実現できる。
【図面の簡単な説明】
【０２６０】
【図１】本発明の第一の実施形態に係る放送信号送出装置の構成を示すブロック図である。
【図２】本発明に係る受信状況テーブルの一例を示す図である。
【図３】本発明の第二の実施形態に係る放送信号送出装置の構成を示すブロック図である。
【図４】本発明の第三の実施形態に係る放送信号送出装置の構成を示すブロック図である。
【図５】本発明の第四の実施形態に係る放送信号送出装置の構成を示すブロック図である。
【図６】本発明の第五の実施形態に係る放送信号送出装置の構成を示すブロック図である。
【図７】本発明の第六の実施形態に係る放送信号送出装置の構成を示すブロック図である。
【図８】本発明の第七の実施形態に係る放送信号送出装置の構成を示すブロック図である。
【図９】本発明の第八の実施形態に係る放送信号送出装置の構成を示すブロック図である。
【図１０】本発明の第九の実施形態に係る放送信号送出装置の構成を示すブロック図である。
【図１１】本発明の第十の実施形態に係る放送信号送出装置の構成を示すブロック図である。
【図１２】本発明の第十一の実施形態に係る放送信号送出装置の構成を示すブロック図である。
【図１３】本発明の第十ニの実施形態に係る放送信号送出装置の構成を示すブロック図である。
【図１４】本発明の第十三の実施形態に係る放送信号送出装置の構成を示すブロック図である。
【図１５】本発明の第十四の実施形態に係る放送信号送出装置の構成を示すブロック図である。
【図１６】本発明の第十五の実施形態に係る放送信号送出装置の構成を示すブロック図である。
【図１７】本発明の第十五の実施形態に係るポータル画面の映像の一例である。
【図１８】本発明の第十六の実施形態に係る放送信号送出装置の構成を示すブロック図である。
【図１９】本発明の第十六の実施形態に係る放送信号送出装置とその周辺機器およびネットワークとの接続例を示す図である。
【図２０】本発明の第十七の実施形態に係る放送信号送出装置の構成を示すブロック図である。
【図２１】本発明の第十八の実施形態に係る放送信号送出装置の構成を示すブロック図である。
【図２２】本発明の第十九の実施形態に係る放送信号送出装置の構成を示すブロック図である。
【符号の説明】
【０２６１】
１    受信アンテナ
２    デジタル放送チューナー
３    パケットＤｅｍｕｘｅｒ
４    セクション情報抽出部
５    受信状況テーブル
６    空帯域検出部（検出手段）
７    検出帯域設定部
８    通信部
９    コンテンツＴＳ作成部（変換手段）
１０    放送データ作成部（放送データ作成手段）
１１    ＭＰＥＧ２ＴＳ多重化部（多重化手段）
１２    ＴＳ変調部（変調手段）
１３    ＲＦ信号混合部（混合手段）（送出手段）
１４    電波減衰フィルタ（電波減衰手段）
１５    周波数設定部（検出手段）
１６、１９、２０    時刻入力部（時刻入力手段）
１７    時刻設定部（設定手段）
１８    ＴＯＴパケット作成部
２１    コンテンツスケジュール入力部（スケジュール入力手段）
２２    ＥＰＧ作成部（番組表作成手段）
２３    ＥＩＴ作成部（パケット作成手段）
２４    ＥＰＧデータ取得部（番組表取得手段）
２５    ロゴデータ入力部（ロゴデータ取得手段）
２６    ＣＤＴ作成部（ＣＤＴ作成手段）
２７    チャンネル番号作成部（割当手段）
２８    記録メディア（記録媒体）
２９    コンテンツ読出部
３０    コンテンツ情報作成部
３１    コンテンツ変換部（ＢＭＬ変換手段）
３２    家電用サーバ（収集手段）
３３    家電操作部（変更手段）
３４    家庭内ＬＡＮ
３５    ＮＡＳ
３６    ルータ
３７    テレビ
３８    センサ
３９    映像データ入力部
４０    映像データ変換部（変換手段）
４１    映像音声データデコード部（デコード手段）
４２    映像音声エンコード部（エンコード手段）
４３    鍵交換用サーバ（鍵データ入力手段）
４４    暗号化部（暗号化手段）
５０    横軸
１６０    ポータル画面
１０１〜１１９    放送信号送出装置
【図１】
2010130074.tif 000003
【図２】
2010130074.tif 000004
【図３】
2010130074.tif 000005
【図４】
2010130074.tif 000006
【図５】
2010130074.tif 000007
【図６】
2010130074.tif 000008
【図７】
2010130074.tif 000009
【図８】
2010130074.tif 000010
【図９】
2010130074.tif 000011
【図１０】
2010130074.tif 000012
【図１１】
2010130074.tif 000013
【図１２】
2010130074.tif 000014
【図１３】
2010130074.tif 000015
【図１４】
2010130074.tif 000016
【図１５】
2010130074.tif 000017
【図１６】
2010130074.tif 000018
【図１７】
2010130074.tif 000019
【図１８】
2010130074.tif 000020
【図１９】
2010130074.tif 000021
【図２０】
2010130074.tif 000022
【図２１】
2010130074.tif 000023
【図２２】
2010130074.tif 000024